(57)【要約】  患者以外の一般の人々からも幅広くゲノム情報（検体）を収集することができ、ゲノム情報の有効活用につなげることを可能とする技術を提供する。サーバ装置は、ゲノム関連のサービスを提供するサーバ装置であって、サービスを提供するためのプログラムを格納する記憶デバイスと、記憶デバイスからプログラムを読み込み、実行するプロセッサと、を備える。当該プロセッサは、検体を提供した対価として、検体提供者に対して付与する、所定の決済のための価値交換情報を生成する処理と、提供された検体を解析することにより得られたゲノム情報と、検体提供者の識別情報と、生成した価値交換情報とを関連付けて、データベースに格納する処理と、を実行する（図１参照）。
2019224971.tif 000002
【特許請求の範囲】
【請求項１】
ゲノム関連のサービスを提供するサーバ装置であって、
サービスを提供するためのプログラムを格納する記憶デバイスと、
前記記憶デバイスから前記プログラムを読み込み、実行するプロセッサと、を備え、
前記プロセッサは、
検体を提供した対価として、検体提供者に対して付与する、所定の決済のための価値交換情報を生成する処理と、
提供された検体を解析することにより得られたゲノム情報と、前記検体提供者の識別情報と、前記生成した価値交換情報とを関連付けて、データベースに格納する処理と、
を実行するサーバ装置。
【請求項２】
請求項１において、
前記プロセッサは、前記検体提供者の前記ゲノム情報以外の特定情報を、前記検体提供者の識別情報と関連付けて前記データベースに格納する、サーバ装置。
【請求項３】
請求項２において、
前記特定情報は、前記検体提供者の一般情報、既往歴情報、家族の病歴情報、生活習慣に関する情報、疾病の治療・経過情報、プロテオミクス情報、およびメタボロミクス情報のうち少なくとも１つを含む、サーバ装置。
【請求項４】
請求項１から３のいずれか１項において、
前記プロセッサは、前記検体提供者の前記ゲノム情報が活用された場合に、少なくとも活用内容を含む活用履歴情報を、前記検体提供者の前記識別情報に関連付けて前記データベースに格納する処理を実行する、サーバ装置。
【請求項５】
請求項４において、
前記活用履歴情報は、前記ゲノム情報の活用者の情報と、活用時期の情報とを含む、サーバ装置。
【請求項６】
請求項１から５の何れか１項において、
前記プロセッサは、前記検体提供者が自身のゲノム情報および前記価値交換情報を閲覧可能にするためのユーザインタフェースを生成する処理を実行する、サーバ装置。
【請求項７】
請求項１から６の何れか１項において、
前記プロセッサは、さらに、
ネットワークを介して、前記ゲノム情報の活用希望者のコンピュータから取得したいゲノム情報の希望条件を含むリクエストを受信する処理と、
前記リクエストに含まれる前記希望条件に基づいて前記データベースを検索して前記希望条件に合致する前記検体提供者を特定する処理と、
前記希望条件に合致する前記検体提供者の前記ゲノム情報を前記活用希望者のコンピュータに送信する処理、あるいは前記活用希望者のコンピュータからの前記希望条件に合致する前記検体提供者の前記ゲノム情報へのアクセスを許可する処理と、
を実行するサーバ装置。
【請求項８】
請求項７において、
前記プロセッサは、前記活用希望者による前記価値交換情報の購入を条件に前記ゲノム情報を前記活用希望者のコンピュータに送信する、あるいは前記活用希望者のコンピュータからの前記ゲノム情報へのアクセスを許可する、サーバ装置。
【請求項９】
請求項７または８において、
前記プロセッサは、前記希望条件に合致する前記検体提供者のコンピュータに対して、自身のゲノム情報の提供について合意するかの問い合わせを送信し、合意の意思表示を受信した前記検体提供者の前記ゲノム情報を前記活用希望者のコンピュータに送信する、あるいは合意の意思表示を受信した前記検体提供者の前記ゲノム情報への前記活用希望者のコンピュータからのアクセスを許可する、サーバ装置。
【請求項１０】
請求項７または８において、
前記プロセッサは、自身のゲノム情報の提供について予め包括合意の意思表示を示した前記検体提供者であって、前記希望条件に合致する前記検体提供者の前記ゲノム情報については、改めて合意するかの問い合わせを前記検体提供者のコンピュータに送信せずに、前記活用希望者のコンピュータに送信する、あるいは前記活用希望者のコンピュータからのアクセスを許可する、サーバ装置。
【請求項１１】
請求項１から１０の何れか１項において、
前記プロセッサは、さらに、
前記検体提供者から検体または特定情報の提供を受けたとき、当該検体提供者の識別情報を用いて前記データベースを検索して第１の時点に当該検体提供者から検体または特定情報の提供を受けているか判定する処理と、
前記検体提供者から前記第１の時点で検体または特定情報の提供を受けている場合には、前記第１の時点のゲノム情報または特定情報と前記第１の時点よりも時間的に新しい第２の時点のゲノム情報または特定情報とを関連付けて前記データベースに格納する処理と、
を実行する、サーバ装置。
【請求項１２】
ゲノム関連のサービスを提供するサーバ装置と、
ゲノム情報を抽出するための検体を提供する検体提供者の第１コンピュータと、
前記ゲノム情報の活用を希望する活用希望者の第２コンピュータと、を備え、
前記サーバ装置と、前記第１コンピュータと、前記第２コンピュータとはネットワークを介して接続されており、
（i）前記サーバ装置は、
前記検体を提供した対価として、検体提供者に対して付与する、所定の決済のための価値交換情報を生成する処理と、
提供された検体を解析することにより得られたゲノム情報と、前記検体提供者の識別情報と、前記生成した価値交換情報とを関連付けて、データベースに格納する処理と、
前記第１コンピュータから受信した前記検体提供者のゲノム情報の閲覧リクエストに応答して、前記検体提供者のゲノム情報と付与された前記価値交換情報とを前記データベースから取得して前記検体提供者が閲覧可能にする処理と、
前記第２コンピュータから受信した所望のゲノム情報の希望条件を含むゲノム情報取得リクエストを受信する処理と、
前記ゲノム情報取得リクエストに含まれる前記希望条件に基づいて前記データベースを検索して前記希望条件に合致する前記検体提供者を特定する処理と、
前記希望条件に合致する前記検体提供者の前記ゲノム情報を前記第２コンピュータに送信する処理、あるいは前記第２コンピュータからの前記希望条件に合致する前記検体提供者の前記ゲノム情報へのアクセスを許可する処理と、を実行し、
（ii）前記第１コンピュータは、
前記閲覧リクエストを前記サーバ装置に送信する処理と、
前記検体提供者のゲノム情報と前記価値交換情報とを前記第１コンピュータの表示画面上に表示する処理と、を実行し、
（iii）前記第２コンピュータは、
前記ゲノム情報取得リクエストを前記サーバ装置に送信する処理と、
前記希望条件に合致した前記検体提供者のゲノム情報を前記サーバ装置から取得する処理、あるいは前記サーバ装置にアクセスして前記希望条件に合致した前記検体提供者のゲノム情報にアクセスする処理と、を実行する、サービス提供システム。
【請求項１３】
請求項１２において、
前記サーバ装置は、前記検体提供者の前記ゲノム情報以外の特定情報を、前記検体提供者の検体情報と関連付けて前記データベースに格納する、サービス提供システム。
【請求項１４】
請求項１３において、
前記特定情報は、前記検体提供者の一般情報、既往歴情報、家族の病歴情報、生活習慣に関する情報、疾病の治療・経過情報、プロテオミクス情報、およびメタボロミクス情報のうち少なくとも１つを含む、サービス提供システム。
【請求項１５】
請求項１２から１４の何れか１項において、
前記サーバ装置は、前記検体提供者の前記ゲノム情報が活用された場合に、少なくとも活用内容を含む活用履歴情報を、前記検体提供者の前記識別情報に関連付けて前記データベースに格納する処理を実行する、サービス提供システム。
【請求項１６】
請求項１５において、
前記活用履歴情報は、前記ゲノム情報の活用者の情報と、活用時期の情報とを含む、サービス提供システム。
【請求項１７】
請求項１２から１６の何れか１項において、
前記サーバ装置は、前記活用希望者による前記価値交換情報の購入を条件に前記ゲノム情報を前記第２コンピュータに送信する、あるいは前記ゲノム情報への前記第２コンピュータからのアクセスを許可する、サービス提供システム。
【請求項１８】
請求項１２から１７の何れか１項において、
前記サーバ装置は、前記希望条件に合致する前記第１コンピュータに対して、前記検体提供者のゲノム情報の提供について合意するかの問い合わせを送信し、合意の意思表示を受信した前記検体提供者の前記ゲノム情報のみを前記第２コンピュータに送信する、あるいは前記合意の意思表示を受信した前記検体提供者の前記ゲノム情報への前記第２コンピュータからのアクセスを許可する、サービス提供システム。
【請求項１９】
請求項１２から１８の何れか１項において、
前記サーバ装置は、自身のゲノム情報の提供について予め包括合意の意思表示を示した前記検体提供者であって、前記希望条件に合致する前記検体提供者の前記ゲノム情報については、改めて合意するかの問い合わせを前記第１コンピュータに送信せずに、前記第２コンピュータに送信する、あるいは前記第２コンピュータからのアクセスを許可する、サーバ提供システム。
【請求項２０】
請求項１２から１８の何れか１項において、
前記サーバ装置は、さらに、
検体提供者から検体または特定情報の提供を受けたとき、当該検体提供者の識別情報を用いて前記データベースを検索して第１の時点に当該検体提供者から検体または特定情報の提供を受けているか判定する処理と、
前記検体提供者から過去に検体の提供または特定情報を受けている場合には、前記第１の時点のゲノム情報または特定情報と前記第１の時点よりも時間的に新しい第２の時点のゲノム情報または特定情報を関連付けて前記データベースに格納する処理と、
を実行する、サービス提供システム。
【発明の詳細な説明】
【技術分野】
【０００１】
本開示は、ゲノム関連のサービスを提供するサーバ装置、およびサービス提供システムに関する。
【背景技術】
【０００２】
近年、ゲノム解析技術の開発が進み、ゲノム情報の活用が盛んになりつつある。例えば、医師が抗がん剤治療を患者に施すとき、予め患者のＤＮＡ（検体）を採取し、それを検査センターに送付する。検査センターでは、例えばＤＮＡチップのような遺伝子検査システムを使って検査をし、そのＤＮＡ型を特定する。ＤＮＡ型が判れば、投与される薬に対する副作用の有無や薬の効用の有無などを予め判断することが可能となる。このため、以前行われていたような試行的な投薬が不要となり、最初から当該患者に効用があり副作用がない（少ない）薬を投与することが可能となった。従って、昨今、ＤＮＡの情報（ゲノム情報）の増々の活用が望まれている。【０００３】
この点、特許文献１は、「ゲノム情報の提供者を特定不可能であるというガイドラインを遵守しつつ、従来とは逆に、ゲノム情報を臨床情報データベースへ取り込むことによって、ゲノム情報と臨床情報との関連性等を容易に検索することを可能とした統合データベースシステムを提供する」ことを課題とし、「複数の患者の臨床情報と、複数の患者の少なくとも一部の患者のゲノム情報とを記憶するデータ記憶部を含む情報データベースを備え、データ記憶部において、臨床情報は、患者個人を特定可能な個人情報を含まず、かつ、同じ患者のゲノム情報と臨床情報が、当該患者個人を特定不可能なリンク情報によって関連付けられて記憶されている」ゲノム情報と臨床情報との統合データベースシステムを開示している。
【先行技術文献】
【特許文献】
【０００４】
【特許文献１】特開２００９−７００９６号公報
【発明の概要】
【発明が解決しようとする課題】
【０００５】
しかしながら、特許文献１では、既に局所的に存在するゲノム情報をデータベース化するのみで、現在何らかの疾病に罹患していると判明している者（患者）以外の者（健常者という）などからもより幅広くゲノム情報を収集し、活用するという視点は欠けている。ゲノム情報は、患者以外の者からも幅広く収集できれば非常に効果的に活用することができると考えられる。【０００６】
また、一般的に、奉仕的な意味合いにおいてゲノム情報（検体）を提供しようとする人は存在するとは思われるが、割合としては小さいと言わざるを得ない。従って、一般の人々に対して、ゲノム情報（検体）を提供しようとする意欲を起こさせる仕組みを構築することが非常に重要となる。【０００７】
本開示はこのような状況に鑑みてなされたものであり、患者以外の一般の人々からも幅広くゲノム情報（検体）を収集することができ、ゲノム情報の有効活用につなげることを可能とする技術を提供するものである。
【課題を解決するための手段】
【０００８】
上記課題を解決するために、本開示によるサーバ装置は、ゲノム関連のサービスを提供するサーバ装置であって、
サービスを提供するためのプログラムを格納する記憶デバイスと、
前記記憶デバイスから前記プログラムを読み込み、実行するプロセッサと、を備え、
前記プロセッサは、
検体を提供した対価として、検体提供者に対して付与する、所定の決済のための価値交換情報を生成する処理と、
提供された検体を解析することにより得られたゲノム情報と、前記検体提供者の識別情報と、前記生成した価値交換情報とを関連付けて、データベースに格納する処理と、を実行する。【０００９】
また、本開示によるサービス提供システムは、ゲノム関連のサービスを提供するサーバ装置と、ゲノム情報を抽出するための検体を提供する検体提供者の第１コンピュータと、前記ゲノム情報の活用を希望する活用希望者の第２コンピュータと、を備え、前記サーバ装置と、前記第１コンピュータと、前記第２コンピュータとはネットワークを介して接続されており、
（i）前記サーバ装置は、
前記検体を提供した対価として、検体提供者に対して付与する、所定の決済のための価値交換情報を生成する処理と、
提供された検体を解析することにより得られたゲノム情報と、前記検体提供者の識別情報と、前記生成した価値交換情報とを関連付けて、データベースに格納する処理と、
前記第１コンピュータから受信した前記検体提供者のゲノム情報の閲覧リクエストに応答して、前記検体提供者のゲノム情報と付与された前記価値交換情報とを前記データベースから取得して前記検体提供者が閲覧可能にする処理と、
前記第２コンピュータから受信した所望のゲノム情報の希望条件を含むゲノム情報取得リクエストを受信する処理と、
前記ゲノム情報取得リクエストに含まれる前記希望条件に基づいて前記データベースを検索して前記条件に合致する前記検体提供者を特定する処理と、
前記希望条件に合致する前記検体提供者の前記ゲノム情報を前記第２コンピュータに送信する処理、あるいは前記第２コンピュータからの前記希望条件に合致する前記検体提供者の前記ゲノム情報へのアクセスを許可する処理と、を実行し、
（ii）前記第１コンピュータは、
前記閲覧リクエストを前記サーバ装置に送信する処理と、
前記検体提供者のゲノム情報と前記価値交換情報とを前記第１コンピュータの表示画面上に表示する処理と、を実行し、
（iii）前記第２コンピュータは、
前記ゲノム情報取得リクエストを前記サーバ装置に送信する処理と、
前記条件に合致した前記検体提供者のゲノム情報を前記サーバ装置から取得する処理、あるいは前記サーバ装置にアクセスして前記条件に合致した前記検体提供者のゲノム情報にアクセスする処理と、を実行する。
本開示に関連する更なる特徴は、本明細書の記述、添付図面から明らかになるものである。また、本開示の態様は、要素及び多様な要素の組み合わせ及び以降の詳細な記述と添付される特許請求の範囲の様態により達成され実現される。
本明細書の記述は典型的な例示に過ぎず、特許請求の範囲又は適用例を如何なる意味に於いても限定するものではないことを理解する必要がある。
【発明の効果】
【００１０】
本開示によれば、患者以外の一般の人々からも幅広くゲノム情報（検体）を収集することができ、ゲノム情報の有効活用につなげることができる。
【図面の簡単な説明】
【００１１】
【図１】本実施形態による、ゲノム情報を管理し、ゲノム情報に関するサービスを実行するサービス提供システム１の全体構成例を示す図である。
【図２】検体提供者１からｎの端末装置１０_１〜１０_ｎの内部構成例を示す図である。
【図３】管理サーバ２０の内部構成例を示す図である。
【図４】ＤＢ管理会社の管理サーバ３０の内部構成例を示す図である。
【図５】クライアント（企業：製薬会社等）１からｎの端末装置４０_１〜４０_ｎの内部構成例を示す図である。
【図６】医療機関等（病院等）１からｎの端末装置５０_１〜５０_ｎの内部構成例を示す図である。
【図７】ゲノム情報データベース１００の全体構成を示す図である。
【図８】ゲノム情報データベース１００の構成項目であるゲノム情報１００３の詳細内容を示す図である。
【図９】ゲノム情報データベース１００の構成項目である特定情報１００４の詳細内容を示す図である。
【図１０】ゲノム情報データベース１００の構成項目であるトークン情報１００５の詳細内容を示す図である。
【図１１】ゲノム情報データベース１００の構成項目であるトークン活用履歴情報１０６の詳細内容を示す図である。
【図１２】検体提供者の端末装置１０_ｋ（ｋ＝１からｎ）とサービス提供会社の管理サーバ２０との間で実行される、ゲノム情報や特定情報のゲノム情報データベース１００への登録処理と包括合意確認処理を説明するためのフローチャートである。
【図１３】検体提供者の端末装置１０_ｋ（ｋ＝１からｎ）とサービス提供会社の管理サーバ２０との間で実行される、当該検体提供者自身の登録されたゲノム情報や特定情報の閲覧要求処理を説明するためのフローチャートである。
【図１４】クライアント企業の端末装置４０_ｋ（ｋ＝１からｎ）からのゲノム情報取得・閲覧要求を処理し、所望のゲノム情報を開示する処理を説明するためのフローチャートである。
【図１５】検体提供者が付与されたトークンを使用する際の処理を説明するためのフローチャートである。
【図１６】医療機関等がバイオバンクに保管している臨床情報付き検体（検体解析が行われゲノム情報が存在するばあいにはゲノム情報も含まれる）のゲノム情報データベース１００への登録処理を説明するためのフローチャートである。
【図１７】医療機関等がゲノム情報データベース１００に登録された臨床情報付き検体およびゲノム情報への閲覧要求をサービス提供会社の管理サーバ２０に送信した時の処理を説明するためのフローチャートである。
【図１８】クライアント企業（製薬会社等）が所望のゲノム情報をサービス提供会社から取得し、治験協力要請を対象の医療機関等に行う際の一連の処理を説明するためのフローチャートである。
【発明を実施するための形態】
【００１２】
以下、添付図面を参照して本開示の実施形態および各実施例について説明する。添付図面では、機能的に同じ要素は同じ番号で表示される場合もある。なお、添付図面は本開示の原理に則った具体的な実施形態と実装例を示しているが、これらは本開示の理解のためのものであり、決して本開示を限定的に解釈するために用いられるものではない。
【００１３】
本実施形態では、当業者が本開示を実施するのに十分詳細にその説明がなされているが、他の実装・形態も可能で、本開示の技術的思想の範囲と精神を逸脱することなく構成・構造の変更や多様な要素の置き換えが可能であることを理解する必要がある。従って、以降の記述をこれに限定して解釈してはならない。
【００１４】
＜システムの全体構成例＞
図１は、本実施形態による、ゲノム情報を管理し、ゲノム情報に関するサービスを実行するサービス提供システム１の全体構成例を示す図である。
【００１５】
サービス提供システム１は、例えば、各検体提供者１からｎが保持または所有し、操作してネットワークにアクセスする検体提供者の端末装置（携帯端末や固定端末）１０_１〜１０_ｎと、検体提供者１からｎの端末装置１０_１〜１０_ｎから送られてくる情報やデータおよびクライアント企業の端末装置から送られてくる情報やデータを管理するとともに、検体提供者による検体提供の対価としてトークン（例えば、所定のコミュニティー内で流通し、検体の提供およびゲノム情報の開示に対する対価となる価値交換情報）を付与および管理し、さらに、各クライアント企業に対するゲノム情報の開示などのサービスを行うサービス提供会社の管理サーバ２０と、ゲノム情報データベース（詳細については後述する：図７から図１１参照）を管理するＤＢ（Data Base）管理会社の管理サーバ３０（なお、ＤＢ管理会社の管理サーバ３０は、サービス提供会社の管理サーバ２０と一体となっていてもよい（同一のサーバであってもよい））と、トークンの購入を条件に、サービス提供会社の管理サーバ２０から所望のゲノム情報の閲覧が許可され、あるいは提供を受けるクライアント企業１からｎの端末装置４０_１〜４０_ｎと、医療機関等（例えば、病院）１からｎの端末装置５０_１〜５０_ｎと、を備えており、これらがネットワーク６０を介して接続され、相互に通信可能に構成されている。
【００１６】
＜システムの各構成要素の内部構成例＞
図２から図６は、サービス提供システム１を構成する各装置の内部構成例を示す図である。図２は、検体提供者１からｎの端末装置１０_１〜１０_ｎの内部構成例を示す図である。図３は、管理サーバ２０の内部構成例を示す図である。図４は、ＤＢ管理会社の管理サーバ３０の内部構成例を示す図である。図５は、クライアント（企業：製薬会社等）１からｎの端末装置４０_１〜４０_ｎの内部構成例を示す図である。図６は、医療機関等（病院等）１からｎの端末装置５０_１〜５０_ｎの内部構成例を示す図である。図２から図６に示されるように、サービス提供システム１を構成する各装置はコンピュータによって構成されている。
【００１７】
（i）検体提供者の端末装置
図２に示されるように、検体提供者の端末装置１０_１〜１０_ｎは、端末装置にインストールされた各種プログラムを実行するプロセッサ１０１と、各種プログラムや各種パラメータを格納するメモリ１０２と、演算結果や取得情報を格納する記憶デバイス１０３と、キーボード、タッチパネル、各種ボタンやマイクなどで構成される入力デバイス（これらのうち１つのデバイスであってもよいし、複数種類の入力デバイスが含まれていてもよい）１０４と、表示デバイス、プリンタやスピーカなどで構成される出力デバイス（これらのうち１つのデバイスであってもよいし、複数種類の出力デバイスが含まれていてもよい）１０５と、ネットワーク６０に接続して、サービス提供会社の管理サーバ２０、ＤＢ管理会社の管理サーバ３０、クライアント企業１からｎの端末装置４０_１〜４０_ｎ、および医療機関等１からｎの端末装置５０_１〜５０_ｎ等の外部装置と通信するための通信デバイス１０６と、を備えている。また、図示はしないが、端末装置１０_１〜１０_ｎは、例えば携帯端末であった場合には、ＧＰＳ機能、加速度センサー、振動センサー、脈拍センサー、方位センサーやジャイロセンサー等を備えていてもよい。これらのセンサーは、現在の検体提供者の健康状態や運動の頻度などを検知し、管理サーバ２０に検知情報を送信し、ゲノム情報データベースの付加情報として登録される登録されるようにしてもよい。
【００１８】
プロセッサ１０１は、メモリ１０２から各種プログラムを読み込み、当該プログラムを内蔵メモリ（図示せず）に展開して適宜実行する。図２には、各種プログラムがプロセッサ１０１の内蔵メモリに展開された状態が示されている。プロセッサ１０１は、プログラムとしての、登録情報閲覧処理部１０１１と、登録情報開示合意処理部１０１２と、登録情報更新処理部１０１３と、トークン使用申請処理部１０１４と、を実行する。
【００１９】
登録情報閲覧処理部１０１１は、例えば、検体提供者がサービス提供会社に送付（提供）した検体に対応するゲノム情報であって、サービス提供会社やＤＢ管理会社が管理サーバ２０あるいは３０で管理するゲノム情報データベースに登録されている検体提供者自身のゲノム情報の閲覧の申請をサービス提供会社の管理サーバ２０に送信する。そして、登録情報閲覧処理部１０１１は、送信した閲覧申請に応答して管理サーバ２０が生成した閲覧用ＧＵＩ（Graphical User Interface）データを受信し、当該閲覧用ＧＵＩデータを再構成して出力デバイス（表示装置）１０５の画面上に表示する。閲覧用ＧＵＩデータは、検体提供者自身のゲノム情報、付与されたトークンの額（分量）、個人情報、およびその他の登録情報などを含んでいる。
【００２０】
登録情報開示合意処理部１０１２は、検体提供者のゲノム情報の開示についての問い合わせに対する応答を処理する。例えば、サービス提供会社の管理サーバ２０は、検体提供者の検体から得られたゲノム情報をゲノム情報データベースに登録する際に当該ゲノム情報の第三者へ開示を包括的に合意（許可）するか、将来の開示許可要請ごとに合意（許可）の問い合わせを受信し、個別に合意するか否かを決定することを希望するかについて、問い合わせる。この問い合わせに対して、検体提供者が包括合意を希望する場合には、その旨の検体提供者の入力指示に従って、登録情報開示合意処理部１０１２は、包括合意の意思表示を示す情報を管理サーバ２０に送信する。検体提供者が包括合意を希望せず、将来の開示要請に対応して個別に合意するか否かを決定したい場合には、その旨の検体提供者の入力指示に従って、登録情報開示合意処理部１０１２は、個別合意の意思表示を示す情報を管理サーバ２０に送信する。また、例えば、製薬会社への開示には合意するが、それ以外の企業への開示は許可しないなど、所定の条件（開示先企業の業種、開示時期、開示先企業の国籍など）の下に開示について合意するような意思表示形態であってもよい。
【００２１】
検体提供者は、以前に登録した情報を更新したい場合、登録情報更新処理部１０１３を起動し、入力デバイス１０４を用いて更新項目について新たな情報を入力する。登録情報更新処理部１０１３は、検体提供者の情報入力および情報送信指示に応答して、入力された更新情報（更新項目の情報を含む）を管理サーバ２０に送信する。
【００２２】
また、検体提供者が医療機関等（トークン流通コミュニティー内の登録された病院等）での診断や治療を受けたいときは、サービス提供会社にトークンの使用申請をすることになる。この場合、検体提供者は、トークン使用申請処理部１０１４を起動し、入力デバイス１０４を用いて、トークン使用の意思表示および診断あるいは治療を受ける医療機関等の情報を入力する。トークン使用申請処理部１０１４は、検体提供者の情報入力および情報送信指示に応答して、トークン使用の意思表示および選択された医療機関等の情報を管理サーバ２０に送信する。
【００２３】
（ii）サービス提供会社の管理サーバ
管理サーバ２０は、検体提供者に検体の提供への対価であるトークンを付与し、当該付与したトークンの額の情報や検体提供者の個人情報とともに検体提供者のゲノム情報を管理するサービス提供会社のサーバコンピュータである。また、管理サーバ２０は、クライアント企業からの所望のゲノム情報取得・閲覧要求に対して、トークンの購入および検体提供者の合意を前提に、要求条件に合致するゲノム情報の取得あるいは閲覧を許可する。
【００２４】
図３に示されるように、管理サーバ２０は、インストールされた各種プログラムを実行するプロセッサ２０１と、各種プログラムや各種パラメータを格納するメモリ２０２と、演算結果や取得情報、およびゲノム情報データベースを格納する記憶デバイス２０３と、キーボード、タッチパネル、各種ボタンやマイクなどで構成される入力デバイス（これらのうち１つのデバイスであってもよいし、複数種類の入力デバイスが含まれていてもよい）２０４と、表示デバイス、プリンタやスピーカなどで構成される出力デバイス（これらのうち１つのデバイスであってもよいし、複数種類の出力デバイスが含まれていてもよい）２０５と、ネットワーク６０に接続して検体提供者の端末装置１０_１〜１０_ｎ、ＤＢ管理会社の管理サーバ３０、クライアント企業１からｎの端末装置４０_１〜４０_ｎ、および医療機関等１からｎの端末装置５０_１〜５０_ｎ等の外部装置と通信するための通信デバイス２０６と、を備えている。なお、ここでは、ゲノム情報データベースはサービス提供会社の管理サーバ２０内に設けられるように説明しているが、ＤＢ管理会社の管理サーバ３０内に設けられていてもよいし、管理サーバ２０および管理サーバ３０の両方に設けられていてもよい。また、ＤＢ管理会社の管理サーバ３０にゲノム情報データベースの全体が設けられ、管理サーバ２０にそのゲノム情報データベースの一部が格納されていてもよい。
【００２５】
プロセッサ２０１は、メモリ２０２から各種プログラムを読み込み、当該プログラムを内蔵メモリ（図示せず）に展開して適宜実行する。図３には、各種プログラムがプロセッサ２０１の内蔵メモリに展開された状態が示されている。プロセッサ２０１は、プログラムとしての、トークン管理部２０１１と、ゲノム情報管理部２０１２と、ゲノム情報検索処理部２０１３と、ＧＵＩ生成処理部２０１４と、を実行する。
【００２６】
トークン管理部２０１１は、例えば、検体を提供した検体提供者に対して対価としてのトークンを発行し、付与する。また、トークン管理部２０１１は、検体提供者がさらに詳細な情報を開示した場合に、追加のトークンを発行し、付与する。トークン管理部２０１１は、付与したトークンの情報を、検体提供者の識別情報（ＩＤ）と関連付けてゲノム情報データベースに格納する。ＤＢ管理会社の管理サーバ３０において検体提供者のゲノム情報、個人情報およびトークンの情報の全てあるいは一部を管理している場合には、トークン管理部２０１１は、通信デバイス２０６を用いて、付与したトークンの情報をＤＢ管理会社の管理サーバ３０に送信する。
【００２７】
ゲノム情報管理部２０１２は、検体提供者から検体の提供を受け、当該検体から得られるゲノム情報を取得した後、当該検体提供者の識別情報と関連付けて、検体から得られたゲノム情報をゲノム情報データベース（記憶デバイス２０３）に格納する。ゲノム情報データベースがＤＢ管理会社の管理サーバ３０で管理されている場合には、ゲノム情報管理部２０１２は、通信デバイス２０６を介して、検体提供者の識別情報に関連付けられたゲノム情報をＤＢ管理会社の管理サーバ３０に送信する。また、ゲノム情報管理部２０１２は、検体提供者１からｎが端末装置１０_ｋ（ｋ＝１からｎの整数）を介して入力しネットワークを介して送信されてきた詳細個人情報（特定情報）を受信し、対象の検体提供者の識別情報に関連付けてゲノム情報データベース（記憶デバイス２０３）に格納する（あるいはＤＢ管理会社の管理サーバ３０に送信する）。
【００２８】
また、ゲノム情報管理部２０１２は、検体提供者の端末装置１０_ｋ（ｋ＝１からｎの何れかの整数）から自身が登録した情報（ゲノム情報および特定情報）の閲覧要求を受信すると、閲覧要求に対応する情報をゲノム情報データベースから取得する。そして、ゲノム情報管理部２０１２は、閲覧用のＧＵＩを生成するように、ＧＵＩ生成処理部２０１４に指示する。ＧＵＩ生成処理部２０１４は、ゲノム情報データベースから取得した情報を表示するための閲覧用ＧＵＩデータを生成し、通信デバイス２０６を介して、検体提供者の端末装置１０_ｋに当該閲覧用ＧＵＩデータを送信する。
【００２９】
ゲノム情報検索処理部２０１３は、所望の検索条件を含むゲノム情報検索要求を、例えば、クライアント企業ｋの端末装置４０_ｋ（ｋ＝１からｎの整数）の何れかから受信し、ゲノム情報データベースから上記検索条件に合致したゲノム情報を取得する。また、ゲノム情報検索処理部２０１３は、検索結果（ゲノム情報（検体提供者の特定情報を含む））を、さらに各検体提供者の開示合意の有無に従って分類し、開示合意されたゲノム情報のみを、上記ゲノム情報検索要求を送信したクライアント企業ｋの端末装置４０_ｋが取得可能あるいは閲覧可能なようにする。なお、対象のクライアント企業ｋの端末装置４０_ｋにゲノム情報（特定情報を含む）の閲覧のみを許可する場合には、ＧＵＩ生成処理部２０１４が閲覧用のＧＵＩデータ（改変不可のデータ）を生成し、それをクライアント企業ｋの端末装置４０_ｋに送信するようにしてもよいし、クライアント企業ｋの端末装置４０_ｋからサービス提供会社の管理サーバ２０のメモリ２０２（一例）に一時的に格納された、検索条件に合致し開示合意の取れたゲノム情報にアクセス可能なようにしてもよい。
【００３０】
（iii）ＤＢ管理会社のサーバ
ＤＢ管理会社の管理サーバ３０は、サービス提供会社の管理サーバ２０から各検体提供者のゲノム情報および詳細個人情報（特定情報）を受信し、ゲノム情報データベースに格納して各検体提供者のゲノム情報、特定情報、および付与されたトークンの情報を管理するコンピュータである。なお、このゲノム情報データベースの全ての情報がサービス提供会社の管理サーバ２０によって管理される場合には、ＤＢ管理会社の管理サーバ３０を設ける必要は必ずしもない。ＤＢ管理会社の管理サーバ３０にゲノム情報データベースを設ける場合には、クライアント企業ｋの端末装置４０_ｋからのゲノム情報検索要求の処理をＤＢ管理会社の管理サーバ３０側で実行させてもよい。
【００３１】
図４に示されるように、ＤＢ管理会社の管理サーバ３０は、インストールされた各種プログラムを実行するプロセッサ３０１と、各種プログラムや各種パラメータを格納するメモリ３０２と、演算結果や取得情報、およびゲノム情報データベースを格納する記憶デバイス３０３と、キーボード、タッチパネル、各種ボタンやマイクなどで構成される入力デバイス（これらのうち１つのデバイスであってもよいし、複数種類の入力デバイスが含まれていてもよい）３０４と、表示デバイス、プリンタやスピーカなどで構成される出力デバイス（これらのうち１つのデバイスであってもよいし、複数種類の出力デバイスが含まれていてもよい）３０５と、ネットワーク６０に接続して検体提供者の端末装置１０_１〜１０_ｎ、サービス提供会社の管理サーバ２０、クライアント企業１からｎの端末装置４０_１〜４０_ｎ、および医療機関等１からｎの端末装置５０_１〜５０_ｎ等の外部装置と通信するための通信デバイス３０６と、を備えている。
【００３２】
プロセッサ３０１は、メモリ３０２から各種プログラムを読み込み、当該プログラムを内蔵メモリ（図示せず）に展開して適宜実行する。図４には、各種プログラムがプロセッサ３０１の内蔵メモリに展開された状態が示されている。プロセッサ３０１は、プログラムとしての、ゲノム情報ＤＢ管理部３０１１と、ゲノム情報検索処理部３０１２と、を実行する。
【００３３】
ゲノム情報ＤＢ管理部３０１１は、上記説明した、管理サーバ２０のゲノム情報管理部２０１２と同様の動作をする。例えば、ゲノム情報ＤＢ管理部３０１１は、検体提供者ｋの端末装置１０_ｋ（ｋ＝１からｎの整数）から送信された閲覧要求をサービス提供会社の管理サーバ２０を介して受信し、検体提供者ｋのゲノム情報および特定情報をゲノム情報データベースから取得し、サービス提供会社の管理サーバ２０に返信する。これを受けて、管理サーバ２０は、ＧＵＩ生成処理部２０１４を用いて閲覧用ＧＵＩデータを生成し、検体提供者ｋの端末装置１０_ｋに送信する。なお、ＤＢ管理会社の管理サーバ３０がＧＵＩ生成処理部２０１４に対応する機能を有する場合には、ネットワーク６０を介して直接、検体提供者ｋの端末装置１０_ｋに閲覧用ＧＵＩデータを送信してもよい。
【００３４】
ゲノム情報検索処理部３０１２は、上記説明した、管理サーバ２０のゲノム情報検索処理部２０１３と同様の動作をする。例えば、ゲノム情報検索処理部３０１２は、クライアント企業ｋの端末装置４０_ｋ（ｋ＝１からｎの整数）から送信された所望の検索条件を含むゲノム情報検索要求を、サービス提供会社の管理サーバ２０を介して受信し、検索条件に合致するゲノム情報（特定情報を含む）をゲノム情報データベースから取得する。そして、ゲノム情報検索処理部３０１２は、取得したゲノム情報（特定情報を含む）をサービス提供会社の管理サーバ２０に送信する。ＤＢ管理会社の管理サーバ３０から検索結果（ゲノム情報と特定情報）を受信したサービス提供会社の管理サーバ２０は、上述のように、検索結果を各検体提供者の開示合意の有無に従って分類し、開示合意されたゲノム情報のみを、上記ゲノム情報検索要求を送信したクライアント企業ｋの端末装置４０_ｋが取得可能あるいは閲覧可能なようにする。
【００３５】
（iv）クライアント企業の端末装置
クライアント企業１からｎの端末装置４０_１〜４０_ｎは、所望の検索条件を含むゲノム情報検索要求をサービス提供会社の管理サーバ２０に送信し、当該要求に対応する検索結果であって開示合意のあった検体提供者のゲノム情報（特定情報を含む）を取得、あるいは閲覧するコンピュータである。また、クライアント企業１からｎが製薬会社である場合には、クライアント企業（製薬会社）１からｎの端末装置４０_１〜４０_ｎは、医療機関等ｋの端末装置５０_ｋ（ｋ＝１からｎ）に対して、治験協力要請を送信し、それに対する応答を受信する。なお、これらのサービス（ゲノム情報へのアクセスや治験協力要請）を受けるためには、クライアント企業１からｎは、上述のトークンを所定額分購入する必要がある。
【００３６】
図５に示されるように、クライアント企業１からｎの端末装置４０_１〜４０_ｎは、インストールされた各種プログラムを実行するプロセッサ４０１と、各種プログラムや各種パラメータを格納するメモリ４０２と、演算結果や取得情報を格納する記憶デバイス４０３と、キーボード、タッチパネル、各種ボタンやマイクなどで構成される入力デバイス（これらのうち１つのデバイスであってもよいし、複数種類の入力デバイスが含まれていてもよい）４０４と、表示デバイス、プリンタやスピーカなどで構成される出力デバイス（これらのうち１つのデバイスであってもよいし、複数種類の出力デバイスが含まれていてもよい）４０５と、ネットワーク６０に接続して検体提供者の端末装置１０_１〜１０_ｎ、サービス提供会社の管理サーバ２０、ＤＢ管理会社の管理サーバ３０、および医療機関等１からｎの端末装置５０_１〜５０_ｎ等の外部装置と通信するための通信デバイス４０６と、を備えている。
【００３７】
プロセッサ４０１は、メモリ４０２から各種プログラムを読み込み、当該プログラムを内蔵メモリ（図示せず）に展開して適宜実行する。図５には、各種プログラムがプロセッサ４０１の内蔵メモリに展開された状態が示されている。プロセッサ４０１は、プログラムとしての、ゲノム情報取得要求処理部４０１１と、ゲノム情報取得・閲覧処理部４０１２と、を実行する。クライアント企業１からｎが製薬会社の場合には、プロセッサ４０１は、さらに、治験協力要請処理部４０１３を実行する。
【００３８】
ゲノム情報取得要求処理部４０１１は、クライアント企業の担当者が入力デバイス４０４を用いて入力した所望の検索条件を取得し、それを所定の検索用データフォーマットに変換して、通信デバイス４０６を介してサービス提供会社の管理サーバ２０に送信する。入力される検索条件は、取得あるいは閲覧を希望するゲノム情報の特徴であって、例えば、検体提供者の性別、身長、体重、年齢（年代）、現在特定の疾患の罹患の有無、既往歴、既往症、過去のけが、輸血経験の有無、特定のアレルギーの有無、生活習慣（飲酒習慣や喫煙習慣）、家族・親族の病歴などから少なくとも１つ選択された項目を含んでいる。また、例えば、クライアント企業が製薬会社であって、創薬のためのターゲットのゲノム情報へのアクセスを希望する場合には、入力される検索条件は、コントロールとされる検体提供者および特定疾患（創薬のターゲットの疾患）に罹患している検体提供者を含むこととなる。
【００３９】
ゲノム情報取得・閲覧処理部４０１２は、サービス提供会社の管理サーバ２０から送信されてきた検索結果としてのゲノム情報（特定情報を含む）あるいはゲノム情報の閲覧用ＧＵＩデータを取得し、出力デバイス（例：表示装置）の表示画面に表示する（閲覧用ＧＵＩデータは、例えば、ＨＴＭＬやＸＭＬデータとして送られてくるため、それを再構成して閲覧用ソフトを用いて表示することになる）。また、サービス提供会社の管理サーバ２０から閲覧許可の情報を受信する形態では、ゲノム情報取得・閲覧処理部４０１２は、通信デバイス４０６を用いてサービス提供会社の管理サーバ２０に設けられた閲覧用データにアクセス（閲覧許可の情報に含まれるパスワードなどのセキュリティ情報の入力を条件として）し、所望のゲノム情報（特定情報）を取得、あるいはその閲覧用データを取得し、出力デバイスの画面上に表示する。
【００４０】
製薬会社（クライアント企業）ｋ（ｋ＝１からｎ）がトークンをサービス提供会社から購入し、医療機関等１からｎの何れかから治験協力を受けたい場合、治験協力要請処理部４０１３は、製薬会社の担当者が入力デバイスを用いて入力した治験情報（どのような患者に治験を実施することを希望するかを示す情報（治験の条件））をサービス提供会社の管理サーバ２０に対して送信する。サービス提供会社の管理サーバ２０は、治験情報を受信し、治験の条件に合致する患者を診断および／または治療し、治験協力の意思表示をしている医療機関等（上述のトークンコミュニティに加盟している病院）ｋを特定し、クライアント企業（製薬会社）ｋの端末装置４０_ｋに、その医療機関等ｋ（ｋ＝１からｎ；複数の医療機関等が特定されてもよい。また、トークンの購入額に応じて通知される医療機関等の数の上限が決定されてもよい）の情報を通知するとともに、治験の条件に合致する検体提供者のゲノム情報および特定情報の閲覧を許可する（端末装置４０_ｋへの情報送信、および端末装置４０_ｋからのアクセスの何れか一方あるいは両方）。特定された医療機関等ｋの情報の受信に応答し、治験協力要請処理部４０１３は、製薬会社の担当者の入力指示あるいは自動的に当該医療機関等ｋの端末装置５０_ｋに治験協力要請を送信し、当該医療機関等ｋの端末装置５０_ｋからの治験協力の可否の情報を受信する。
【００４１】
（v）医療機関等の端末装置
医療機関等１からｎの端末装置５０_１〜５０_ｎは、各医療機関等が管理するバイオバンクに保管する臨床情報付きの検体および／またはゲノム情報の提供に係る処理を実行し、製薬会社からの治験協力要請に対応するコンピュータである。なお、各医療機関等１からｎは、バイオバンクに保管する各種情報をサービス提供会社に提供することにより、上記トークンを受け取ることができる。当該トークンは、上記ゲノム情報データベースで医療機関等１からｎの識別情報に対応付けて管理される。
【００４２】
図６に示されるように、医療機関等１からｎの端末装置５０_１〜５０_ｎは、インストールされた各種プログラムを実行するプロセッサ５０１と、各種プログラムや各種パラメータを格納するメモリ５０２と、演算結果や取得情報を格納する記憶デバイス５０３と、キーボード、タッチパネル、各種ボタンやマイクなどで構成される入力デバイス（これらのうち１つのデバイスであってもよいし、複数種類の入力デバイスが含まれていてもよい）５０４と、表示デバイス、プリンタやスピーカなどで構成される出力デバイス（これらのうち１つのデバイスであってもよいし、複数種類の出力デバイスが含まれていてもよい）５０５と、ネットワーク６０に接続して検体提供者の端末装置１０_１〜１０_ｎ、サービス提供会社の管理サーバ２０、ＤＢ管理会社の管理サーバ３０、およびクライアント企業１からｎの端末装置４０_１〜４０_ｎ等の外部装置と通信するための通信デバイス５０６と、を備えている。
【００４３】
プロセッサ５０１は、メモリ５０２から各種プログラムを読み込み、当該プログラムを内蔵メモリ（図示せず）に展開して適宜実行する。図６には、各種プログラムがプロセッサ５０１の内蔵メモリに展開された状態が示されている。プロセッサ５０１は、プログラムとしての、検体・臨床情報提供処理部５０１１と、登録情報閲覧処理部５０１２と、治験協力要請対応部５０１３と、を実行する。
【００４４】
検体・臨床情報提供処理部５０１１は、例えば、医療機関等ｋ（ｋ＝１からｎ）がサービス提供会社に臨床情報付き検体を提供（例えば、宅配業者を用いて送付）した場合に、医療機関等ｋの担当者の指示に応答して、サービス提供会社の管理サーバ２０に当該検体を送付したこと通知する。医療機関等ｋの端末装置５０_ｋから送付通知を受信した場合、サービス提供会社の管理サーバ２０は、臨床情報付き検体の受け取りが確認された後、サービス提供会社の担当者の指示に応答して、提供された検体に基づいて生成されたゲノム情報（ゲノム情報は、提供された検体から生成される）と、対応する臨床情報と、検体に係る患者等の詳細情報（個人情報や病歴などの情報）と付与したトークン額の情報とを、医療機関等ｋの識別情報に紐づけてゲノム情報データベースに登録する。そして、サービス提供会社の管理サーバ２０は、医療機関等ｋの端末装置５０_ｋに、ゲノム情報データベースへの情報登録の完了（例えば、登録された情報の概要を含んでいてもよい）と臨床情報付き検体の提供の対価として付与されたトークン額とを通知する。通知を受信すると、検体・臨床情報提供処理部５０１１は、メモリ５０２あるいは記憶デバイス５０３に、臨床情報付き検体の提供に対応する情報のゲノム情報データベースへの登録日と、登録された概要と、付与されたトークン額の情報と、を格納する。なお、医療機関等ｋの担当者（関係者）は、以前に登録した情報を更新したい場合や削除したい場合には、検体・臨床情報提供処理部５０１１を起動し、入力デバイス５０４を用いて更新項目についての新たな情報や削除要求等を入力する。そして、検体・臨床情報提供処理部５０１１は、医療機関等ｋの担当者（関係者）の情報入力および情報送信指示に応答して、入力された更新情報（更新項目の情報を含む）や削除要求等を管理サーバ２０に送信する。
【００４５】
登録情報閲覧処理部５０１２は、例えば、サービス提供会社やＤＢ管理会社が管理サーバ２０あるいは３０で管理するゲノム情報データベースに登録されている情報（医療機関等ｋが提供した検体・臨床情報および提供した検体に係る過去および現在の患者の詳細情報）の閲覧の申請をサービス提供会社の管理サーバ２０に送信する。そして、登録情報閲覧処理部５０１２は、送信した閲覧申請に応答して管理サーバ２０が生成した閲覧用ＧＵＩ（Graphical User Interface）データを受信し、当該閲覧用ＧＵＩデータを再構成して出力デバイス（表示装置）５０５の画面上に表示する。閲覧用ＧＵＩデータは、医療機関等ｋが提供した、過去・現在の患者の検体に基づくゲノム情報、当該患者の臨床情報、付与されたトークンの額（分量）、医療機関等ｋの詳細情報、および各患者の個人情報や病歴その他の登録情報を含んでいる。
【００４６】
治験協力要請対応部５０１３は、クライアント企業（製薬会社）ｋの端末装置４０_ｋ（ｋ＝１からｎ）から送信されてきた治験協力要請を受信する。医療機関等ｋの担当者（関係者）は、受信した治験協力要請の内容を検討し、治験協力をするか判断する。そして、治験協力要請対応部５０１３は、クライアント企業（製薬会社）ｋの端末装置４０_ｋ（ｋ＝１からｎ）に、治験に協力するか通知する。治験に協力する場合、治験協力要請対応部５０１３は、サービス提供会社に提供した臨床情報付き検体に係る、現存する各患者の端末装置に治験参加依頼を送信する。なお、現存する各患者の端末装置には、検体提供者１からｎの端末装置１０_１〜１０_ｎの何れかの端末装置やそれ以外の端末装置であって、検体提供時に医療機関等ｋに登録された端末装置を含めることができる。
【００４７】
＜ゲノム情報データベースの構成例＞
図７から図１１は、ゲノム情報データベースの構成例を示す図である。図７は、ゲノム情報データベース１００の全体構成を示す図である。図８は、ゲノム情報データベース１００の構成項目であるゲノム情報１００３の詳細内容を示す図である。図９は、ゲノム情報データベース１００の構成項目である特定情報１００４の詳細内容を示す図である。図１０は、ゲノム情報データベース１００の構成項目であるトークン情報１００５の詳細内容を示す図である。図１１は、ゲノム情報データベース１００の構成項目であるゲノム情報活用履歴情報１００６の詳細内容を示す図である。ゲノム情報データベース１００を含み、それ構成する各種情報はテーブル構造によって管理されているが、これは一例であって、互いに関連付けられ、各検体提供者の情報をエラーなく取得できればどのような構造であってもよい。また、図７から図１１の各データベース構成要素が物理的に１つの場所に設けられていても、それぞれが別の場所や別のデータベースとして設けられていてもよい。例えば、管理サーバ２０が図７のデータベース構成要素を有し、図８から図１１のデータベース構成要素がそれぞれ別の場所に設置され、管理サーバ２０とネットワーク６０を介して接続されるような構成としてもよい。
【００４８】
（i）ゲノム情報データベースの全体構成（図７）
図７に示されるように、ゲノム情報データベース１００は、識別情報１００１と、検体提供者名１００２と、ゲノム情報１００３と、特定情報１００４と、トークン情報１００５と、ゲノム情報活用履歴情報１００６と、を構成項目として含んでいる。
【００４９】
識別情報１００１は、検体提供者を一意に特定・識別する情報である。サービス提供会社が固有番号を各検体提供者に割り当ててもよいし、マイナンバー（ソーシャルセキュリティナンバー）、健康保険証番号、免許証番号やパスポート番号など公的機関が発行した番号、ゲノム情報、ゲノム情報をもとに生成したユニークな文字列などであってもよい。検体が医療機関等から患者名を伏せて提供される場合には、例えば、当該機関を特定する固有番号と当該機関から提供された検体間での提供順序を表す番号との組合せを識別情報としてもよい。なお、ゲノム情報データベース１００においては、マイナンバーを用いるのが好適である。マイナンバーは人の生誕によって発行されるその人に固有の番号だからである。従って、本実施形態では、マイナンバーを用いてゲノム情報データベース１００について説明する。
検体提供者名１００２は、検体提供者の氏名である。識別情報１００１さえあれば本名でなくてもよく、イニシャル、ニックネームや匿名などであってもよい。
【００５０】
ゲノム情報１００３は、対象の検体提供者がどのような検体を提供し、それによって得られたゲノム情報を管理する。ゲノム情報１００３の詳細内容は、図７のゲノム情報データベース１００に直接記述（管理）されていてもよく、本実施形態のようにリンク先（リンクＧ１）の別のテーブルに記述（管理）されていてもよい。ゲノム情報１００３の詳細については後述する（図８参照）。
【００５１】
特定情報１００４は、対象の検体提供者の一般個人情報、既往症や生活習慣などの情報を管理する。特定情報１００４の詳細内容は、図７のゲノム情報データベース１００に直接記述（管理）されていてもよく、本実施形態のようにリンク先（リンクＳ１）で別のテーブルに記述（管理）されていてもよい。特定情報１００４の詳細については後述する（図９参照）。
【００５２】
トークン情報１００５は、対象の検体提供者のトークン付与履歴（付与されたトークン額を含む）、トークン使用履歴、トークン売却履歴等を管理する。トークン情報１００５の詳細内容は、図７のゲノム情報データベース１００に直接記述（管理）されていてもよく、本実施形態のようにリンク先（リンクＴ１）で別のテーブルに記述（管理）されていてもよい。トークン情報１００５の詳細については後述する（図１０参照）。
【００５３】
ゲノム情報活用履歴情報１００６は、対象の検体提供者のゲノム情報がどのクライアント企業によってどのように活用されたかを管理する。ゲノム情報活用履歴情報１００６の詳細内容は、図７のゲノム情報データベース１００に直接記述（管理）されていてもよく、本実施形態のようにリンク先（リンクＵＨ１）で別のテーブルに記述（管理）されていてもよい。ゲノム情報活用履歴情報１００６の詳細については後述する（図１１参照）。
【００５４】
ゲノム情報データベース１００においては、上述の検体提供者名１００２からゲノム情報活用履歴情報１００６の各項目およびその詳細内容（図８から図１１）は、検体提供者の識別情報（マイナンバー、ゲノム情報、ゲノム情報をもとに生成したユニークな文字列など）１００１によって全て関連付け（紐付け）られている。
【００５５】
（ii）ゲノム情報の詳細構成例（図８）
本実施形態では、ゲノム情報データベース１００において、ゲノム情報１００３は、リンクＧに関連付けられた、別途設けられたテーブル（図８）によって提供される。図７で示されるように、例えば、識別情報「３３３１１」で特定される検体提供者「ＡＡＡ」のゲノム情報の詳細は、リンクＧ１で示されるリンク先に格納されている。ゲノム情報１００３としては、少なくとも提供された検体の情報とそれを解析して得られたゲノム情報が含まれる。
【００５６】
図８を参照すると、ゲノム情報１００３は、対象の検体提供者の識別情報（マイナンバー、ゲノム情報、ゲノム情報をもとに生成したユニークな文字列など）に対応する、検体提供者の検体あるいはゲノムの種類と、検体の部位と、検体の提供日と、を含んでいる。検体の種類あるいはゲノム情報の種類は、提供された検体の種類と、当該検体を解析して得られたゲノム情報である。例えば、生殖細胞および体細胞（検体）と、ＣｆＤＮＡ、ＣＴＣ、ｍｉＲＮＡ、ＲＮＡ、およびその他（ゲノム情報）が該当する。検体の部位は、提供された検体が検体提供者の身体のどの部分から採取されたものかを示している。例えば、生殖細胞は検体提供者の血液から得られ、体細胞はＡがんおよびＢがんから得られ、ＣｆＤＮＡ、ＣＴＣ、ｍｉＲＮＡ、ＲＮＡ、およびその他（ゲノム情報）は血液を解析することにより得られたことが分かる。また、提供日は、検体提供者によって識別情報（マイナンバー、ゲノム情報、ゲノム情報をもとに生成したユニークな文字列など）が提供された日付け、各種細胞が検体として提供された日付け、提供された検体を解析してゲノム情報（ＣｆＤＮＡなど）が取得された日付けをそれぞれ示している。
【００５７】
（iii）特定情報の詳細構成例（図９）
本実施形態では、ゲノム情報データベース１００において、特定情報１００４は、リンクＳに関連付けられた、別途設けられたテーブル（図９）によって提供される。図７で示されるように、例えば、識別情報「３３３１１」で特定される検体提供者「ＡＡＡ」の特定情報の詳細は、リンクＳ１で示されるリンク先に格納されている。
【００５８】
図９を参照すると、特定情報１００４は、対象の検体提供者の識別情報（マイナンバー、ゲノム情報、ゲノム情報をもとに生成したユニークな文字列など）に対応する、検体提供者の情報の種類と、情報の内容と、当該情報の提供日と、を含んでいる。情報の種類は、検体提供者の、検体やゲノム情報以外の個人情報やその他の未公開情報（検体提供者が一般的には秘匿したい情報を含む）である。例えば、一般情報、既往歴情報、家族の病歴情報、生活習慣に関する情報、疾病の治療・経過情報、プロテオミクス情報、およびメタボロミクス情報であり、特定情報１００４にはこれらのうち少なくとも１つが該当する。情報の内容は、各種情報の詳細な内容を示している。一般情報は、例えば、検体提供者の性別、年齢、身長、体重である。既往症の情報は、例えば、検体提供者が現在罹患している病気（病名、症状、程度（重度か否か）など）、入院の有無、内服している薬（薬名、服用頻度など）、過去罹患した病気（病名、程度（重度だったか否か）、入院の有無、症状、治癒までの治療期間など）、過去に負ったけが（けがの部位、程度、入院の有無（入院期間を含む）、治癒までの治療期間）、手術の経験の有無（時期を含む）、輸血を受けた経験の有無（時期を含む）、およびアレルギーの有無と種類などの少なくとも１つを含む。家族の病歴の情報は、例えば、３親等以内の親族の病歴（病名、程度（重度か否か）、症状、治療期間、現在存命か否か）などの情報を含む。生活習慣の情報は、例えば、検体提供者の飲酒や喫煙の習慣、生活リズム（通常の起床就寝時間、食事の時間・回数、食事の嗜好性など）の情報を含む。治療・経過情報は、例えば、検体提供者が現在罹患する病気の治療歴や経過情報などを含む。また、提供日は、検体提供者によって識別情報（マイナンバー、ゲノム情報、ゲノム情報をもとに生成したユニークな文字列など）が提供された日付け、各種情報が提供された日付けをそれぞれ示している。
【００５９】
（iv）トークン情報（図１０）
本実施形態では、ゲノム情報データベース１００において、トークン情報１００５は、リンクＴに関連付けられた、別途設けられたテーブル（図１０）によって提供される。図７で示されるように、例えば、識別情報「３３３１１」で特定される検体提供者「ＡＡＡ」のトークン情報の詳細は、リンクＴ１で示されるリンク先に格納されている。
【００６０】
図１０を参照すると、トークン情報１００５は、メインテーブルとサブテーブルの複数種類のテーブル（あるいは類似の構造）で構成される。トークン情報１００５のメインテーブルは、対象の検体提供者の識別情報（マイナンバー、ゲノム情報、ゲノム情報をもとに生成したユニークな文字列など）に対応する、検体提供者のトークンに関するイベント（取引）の種類と、イベント（取引）の内容と、当該イベントの発生日と、を含む。イベントの種類は、例えば、検体提供者へのトークンの付与、検体提供者等によるトークンの使用、検体提供者によるトークンの売却などを含む。イベント内容は、例えば、メインテーブルでは、トークンの付与のサブテーブル番号を示すリンク情報となっている。イベント発生日は、各イベント（取引）の発生日を示し、例えばトークンの付与であれば、各トークン付与イベントの発生日が入力される。
【００６１】
サブテーブルは、メインテーブルの各イベントの種別に応じて設けられたテーブルであり、イベント項目（付与、使用、売却など）の内容をさらに詳細に記述した情報を格納する。図１０では、トークンの使用イベントのサブテーブル（サブテーブル２）の例が示されている。
【００６２】
サブテーブル２は、検体提供者（トークン保有者）の識別情報（マイナンバー、ゲノム情報、ゲノム情報をもとに生成したユニークな文字列など）に対応する、実際の使用者（使用者特定：検体提供者自身が使用してもよいし、検知体提供者の関係者が使用してもよい）と、識別管理情報（００１、００２、・・・など）に対応する具体的な用途の内容と、イベント発生日（使用日）と、を管理するテーブルである。サブテーブル２の内容は、イベント発生日および検体提供者の識別番号によってメインテーブルの項目「使用」と関連付けられている。なお、図１０には「使用」を例としたサブテーブル２のみが示されているが、「付与」や「売却」などのサブテーブルも同様の構成となる。ただし、「付与」のサブテーブルでは、例えば、「使用者特定」として「トークンの付与対象者名」が記述され、「内容」の「繰り返し項目」としてトークン付与の切っ掛けとなった検体提供者の行為（例えば、特定情報の開示など）が識別管理情報（００１、００２、・・・など）に対応して管理される。また、「売却」のサブテーブルでは、例えば、「使用者特定」として「トークンの売却者名」が記述され、「内容」の「繰り返し項目」としてトークン売却の内容（誰への譲渡であったか）が識別管理情報（００１、００２、・・・など）に対応して管理される。
【００６３】
（v）ゲノム情報活用履歴情報（図１１）
本実施形態では、ゲノム情報データベース１００において、ゲノム情報活用履歴情報１００６は、リンクＵＨに関連付けられた、別途設けられたテーブル（図１１）によって提供される。図７で示されるように、例えば、識別情報「３３３１１」で特定される検体提供者「ＡＡＡ」のゲノム情報活用情報の詳細は、リンクＵＨ１で示されるリンク先に格納されている。
【００６４】
図１１を参照すると、ゲノム情報活用履歴情報１００６は、対象の検体提供者のゲノム情報を活用したクライアント企業の識別情報と、クライアント企業名と、検体提供者の識別情報と、ゲノム情報の活用用途と、対象のゲノム情報がクライアント企業に開示された日と、を構成項目として含む。クライアント企業（例えば、製薬会社）は、サービス提供会社と、サービスの提供を受ける契約し、トークンを購入した企業である。各クライアント企業は、トークンの購入を前提として、ゲノム情報の開示を受けることができ、ゲノム情報を様々な用途・目的に使用することができるようになる。クライアント企業名は、ゲノム情報を活用した企業名であり、略称や通称などは認められるが、匿名とすることはできない。検体提供者識別情報は、活用されたゲノム情報に対応する検体を提供した検体提供者の識別情報（マイナンバー、ゲノム情報、ゲノム情報をもとに生成したユニークな文字列など）であり、図１１の例では検体提供者ＡＡＡのマイナンバー等が記述される。リンクＵＨ１で関連付けられるゲノム情報活用履歴情報（テーブル）は、検体提供者ＡＡＡのゲノム情報の活用履歴を管理するためのテーブルであるため、当該欄には全て検体提供者ＡＡＡの識別情報が記述される。活用用途は、クライアント企業が対象のゲノム情報をどのような用途・目的で活用したかを示し、例えば、用途として、創薬、研究、診断技術開発などが挙げられるが、これらに限定はされない。ゲノム情報開示日は、クライアント企業からのゲノム情報取得・閲覧要求に応答して、対応する検体提供者（図１１では、検体提供者ＡＡＡ）のゲノム情報が当該クライアント企業に開示された日を示している。
【００６５】
（vi）以上のように、ゲノム情報データベース１００の各情報、つまり識別情報１００１、検体提供者名１００２、ゲノム情報１００３、特定情報１００４、トークン情報１００５、およびゲノム情報活用履歴情報１００６は全て、検体提供者の識別情報１００１で関連付けられている。このため、検体提供者の識別情報１００１を用いれば、所望の情報を容易に取得することができるようになる。
【００６６】
なお、検体提供者から検体または特定情報の提供を受けたとき、ゲノム情報管理部２０１２は、当該検体提供者の識別情報（マイナンバー、ゲノム情報、ゲノム情報をもとに生成したユニークな文字列など）を用いて、ゲノム情報データベース１００を検索し、過去（第１の時点）に当該検体提供者から検体または特定情報の提供を受けているか判定し、検体提供者から過去に検体または特定情報の提供を受けている場合には、過去（第１の時点）のゲノム情報または特定情報と今回（第２の時点）のゲノム情報または特定情報とを関連付けてゲノム情報データベース１００に格納するようにしてもよい。
【００６７】
＜ゲノム情報等登録処理＞
図１２は、検体提供者の端末装置１０_ｋ（ｋ＝１からｎ）とサービス提供会社の管理サーバ２０との間で実行される、ゲノム情報や特定情報のゲノム情報データベース１００への登録処理と包括合意確認処理を説明するためのフローチャートである。なお、図１２では、ゲノム情報データベース１００がサービス提供会社の管理サーバ２０において設けられているものとして説明するが、ＤＢ管理会社の管理サーバ３０に設けられるようにしてもよい。後者の場合、管理サーバ２０と管理サーバ３０とで互いに通信して情報の授受が行われる。そして、サービス提供会社の管理サーバ２０が検体提供者から取得した検体を解析して得られたゲノム情報および特定情報がＤＢ管理会社の管理サーバ３０に設けられたゲノム情報データベース１００に登録されることになる。
【００６８】
（i）ステップ１２０１
検体提供者は、検体提供者の端末装置１０_ｋの通信デバイス１０６を用いて、サービス提供会社の管理サーバ２０にアクセスし（例えば、サービス提供会社のサービスサイトにアクセス）、検体提供申請フォームをダウンロードするか、検体提供申請入力画面にアクセスする。そして、検体提供者は、入力デバイス１０４を用いて、検体提供申請、および検体提供者の登録情報（例えば、上述の特定情報の一部を構成する必要最小限の情報）を検体提供申請フォームに入力するか、検体提供申請入力画面に直接入力し、通信デバイス１０６を用いてサービス提供会社の管理サーバ２０に送信する。このとき、検体提供者の端末装置１０_ｋは、管理サーバ２０から受付番号（当該検体提供者による検体を一意に特定できる情報）を受信し、メモリ１０２あるいは記憶デバイス１０３に格納する。
そして、検体提供者は、例えば、医療機関等に出向いて検体の採取を受け、医療機関等は検体をサービス提供会社に配送する。あるいは、検体提供者は、検定提供申請を送信し、受付番号を受信した後に、当該受付番号と共に、自身の検体をサービス提供会社に配送する。
【００６９】
（ii）ステップ１２０２
サービス提供会社の管理サーバ２０は、検体提供者の端末装置１０_ｋから検体提供申請、および検体提供者の登録情報を受信する。そして、対象の検体提供者または医療機関等から配送されてきた検体の受領を確認した後にサービス提供会社の担当者が入力した検体提供申請等の登録の指示に応答し、サービス提供会社の管理サーバ２０のゲノム情報管理部２０１２は、検体提供者の登録情報を上述の特定情報としてゲノム情報データベース１００に登録する。ゲノム情報は、検体を解析することにより得られるため、この段階ではゲノム情報データベース１００には登録されない。ただし、提供された検体にゲノム情報が付帯する場合（検体提供者が別の機関を介して得た検体解析結果（ゲノム情報）を既に保有する場合）には、直ぐにゲノム情報データベース１００に登録するようにしてもよいし、仮登録とし、その後サービス提供会社による検体解析が終了後に仮登録したゲノム情報と入れ替えるようにしてもよい。
【００７０】
なお、例えば、検体提供申請フォームには、上述の特定情報に含まれる複数の項目についての記入欄を設けることができる。どの項目の情報を提供するかは検体提供者が任意に決めることができるようになっている。したがって、登録情報には詳細度は、検体提供者によって異なる。
サービス提供会社に提供された検体の解析が終了したのち、ゲノム情報管理部２０１２は解析結果をゲノム情報としてゲノム情報データベース１００に登録する。
【００７１】
（iii）ステップ１２０３
管理サーバ２０のトークン管理部２０１１は、提供された登録情報（特定情報）の詳細度に応じて、トークンを発行し、発行したトークン額をゲノム情報データベース１００のトークン情報１００５に登録する。発行されるトークン額は、例えば、検体と共に提供される特定情報の項目毎に予め設定されており、重要な項目の情報提供があり、項目数が増えれば増えるほどトークン額は高くなるように設定されている。トークン管理部２０１１は、この特定情報の項目ごとに予め設定されているトークン額と提供された登録情報（特定情報）の項目を比較することにより、発行すべきトークン額を決定する。
【００７２】
（iv）ステップ１２０４
ゲノム情報管理部２０１２は、検体提供者のゲノム情報および提供された特定情報のゲノム情報データベース１００への登録完了とトークン付与およびゲノム情報データベース１００（トークン情報１００５）への登録完了とを当該検体提供者の端末装置１０_ｋに通知するとともに、自身のゲノム情報開示についての包括合意の意思の有無の問い合わせを同端末装置１０_ｋに送信する。
【００７３】
（v）ステップ１２０５
検体提供者の端末装置１０_ｋ（のプロセッサ１０１）は、管理サーバ２０からデータベースへの登録完了およびトークン付与通知を受信し、併せてゲノム情報開示の包括合意に関する問い合わせを受信する。当該検体提供者は、ゲノム情報開示の包括合意をするか否か決定し、自分の意思（包括合意をするか否か）を入力する。そして、登録情報開示合意処理部１０１２は、検体提供者の指示に応答して、包括合意の問い合わせに対する回答を管理サーバ２０に返信する。包括合意がなされた場合、以後、自身のゲノム情報がクライアント企業に開示（アクセス許可）されるとき、開示の可否について問い合わせられることがなくなる。一方、包括合意がなされない場合、自身のゲノム情報がクライアント企業に開示（アクセス許可）される度に、事前に、開示の可否について問い合わせがなされ、検体提供者は個別に開示合意の有無を回答することになる。
【００７４】
（vi）ステップ１２０６
管理サーバ２０のゲノム情報管理部２０１２は、受信した包括合意の意思の有無の情報をゲノム情報データベース１００に追加登録する（図７には図示せず）。なお、包括合意がなされた場合、その対価としてトークンを追加発行してトークン情報１００５にイベント発生日（包括合意日）と共に追加してもよい。個別合意がなされた場合にも、その対価としてトークンを追加発行してトークン情報１００５にイベント発生日（個別合意日）と共に追加しても良い。また、包括合意の場合には、より多額のトークンを発行してもよい。例えば、包括合意に対して、１０回分の個別合意時のトークン発行額に相当するトークンを発行することができる。
【００７５】
＜ゲノム情報等閲覧要求処理＞
図１３は、検体提供者の端末装置１０_ｋ（ｋ＝１からｎ）とサービス提供会社の管理サーバ２０との間で実行される、当該検体提供者自身の登録されたゲノム情報や特定情報の閲覧要求処理を説明するためのフローチャートである。なお、図１３では、ゲノム情報データベース１００がサービス提供会社の管理サーバ２０において設けられているものとして説明するが、ＤＢ管理会社の管理サーバ３０に設けられるようにしてもよい。後者の場合、管理サーバ２０と管理サーバ３０とで互いに通信して情報の授受が行われる。そして、サービス提供会社の管理サーバ２０が、検体提供者の閲覧要求に応答して、ＤＢ管理会社の管理サーバ３０に設けられたゲノム情報データベース１００に登録されたゲノム情報および特定情報を取得し、閲覧用データに変換して検体提供者の端末装置１０_ｋに提供する。
【００７６】
（i）ステップ１３０１
検体提供者は、検体提供者の端末装置１０_ｋの登録情報閲覧処理部１０１１を起動し、入力デバイス１０４を用いて、ゲノム情報データベース１００に登録された自身の情報の閲覧要求を作成する。そして、登録情報閲覧処理部１０１１は、通信デバイス１０６を介して、サービス提供会社の管理サーバ２０に当該閲覧要求を送信する。閲覧要求は、例えば、検体提供者がゲノム情報データベース１００に登録された登録したゲノム情報や特定情報を確認したい場合や過去に登録した特定情報を更新したり削除したりしたい場合に管理サーバ２０に送信される。また、閲覧要求には、例えば、当該検体提供者の識別情報（マイナンバー、ゲノム情報、ゲノム情報をもとに生成したユニークな文字列など）や検体提供者名を含めることが好ましい。ゲノム情報データベース１００から当該検体提供者の情報を検索しやすくするためである。
【００７７】
（ii）ステップ１３０２
サービス提供会社の管理サーバ２０のゲノム情報管理部２０１２は、送信されてきた閲覧要求を取得し、当該閲覧要求に基づいて、対象の検体提供者のゲノム情報および特定情報を取得し、ＧＵＩ生成処理部２０１４に閲覧用ＧＵＩデータを生成すように指示する。ＧＵＩ生成処理部２０１４は、対象の検体提供者のゲノム情報及び特定情報から所定の閲覧用フォーマットに基づいて閲覧用ＧＵＩデータを生成する。
【００７８】
（iii）ステップ１３０３
ＧＵＩ生成処理部２０１４は、生成した閲覧用ＧＵＩデータを、閲覧要求を送信してきた検体提供者の端末装置１０_ｋに送信する。
【００７９】
（iv）ステップ１３０４
検体提供者の端末装置１０_ｋの登録情報閲覧処理部１０１１は、通信デバイス１０６を介して閲覧用ＧＵＩデータを取得し、例えばブラウザに適合するように閲覧用ＧＵＩデータを構成して出力デバイス（表示装置）１０５の画面上に表示する。
以上の一連の処理により、検体提供者は自分の検体から得られたゲノム情報および提供した特定情報を確認することができる。
【００８０】
＜ゲノム情報開示処理＞
図１４は、クライアント企業の端末装置４０_ｋ（ｋ＝１からｎ）からのゲノム情報取得・閲覧要求を処理し、所望のゲノム情報を開示する処理を説明するためのフローチャートである。なお、図１４では、ゲノム情報データベース１００がサービス提供会社の管理サーバ２０において設けられているものとして説明するが、ＤＢ管理会社の管理サーバ３０に設けられるようにしてもよい。後者の場合、管理サーバ２０と管理サーバ３０とで互いに通信して情報の授受が行われる。そして、サービス提供会社の管理サーバ２０が、クライアント企業のゲノム情報取得・閲覧要求に応答して、ＤＢ管理会社の管理サーバ３０に設けられたゲノム情報データベース１００に登録されたゲノム情報および特定情報を取得し、クライアント企業の端末装置４０_ｋにアクセス許可を与えるか取得した情報を送信する。
【００８１】
（i）ステップ１４０１
クライアント企業の担当者は、クライアント企業の端末装置４０_ｋのゲノム情報取得要求処理部４０１１を起動し、取得したいゲノム情報の条件（検索条件になる）を含む、ゲノム情報取得・閲覧要求を作成する。ゲノム情報取得要求処理部４０１１は、クライアント企業の担当者の入力指示に応答して、作成されたゲノム情報取得・閲覧要求をサービス提供会社の管理サーバ２０に送信する。
【００８２】
ゲノム情報取得・閲覧要求に含まれる“取得したいゲノム情報の条件”には、例えば、性別、年齢（幅）、がん等の疾病の種類、治療歴、病態、病歴、家族歴、飲酒の習慣があること、などが含まれる。この条件の内容は、クライアント企業の担当者によって任意に設定可能である。
【００８３】
（ii）ステップ１４０２
サービス提供会社の管理サーバ２０がクライアント企業の端末装置４０_ｋからゲノム情報取得・閲覧要求を受信すると、ゲノム情報検索処理部２０１３が起動し、ゲノム情報取得・閲覧要求に含まれる“取得したいゲノム情報の条件”を検索条件とし、ゲノム情報データベース１００を検索して条件に合致するゲノム情報を取得する。
【００８４】
（iii）ステップ１４０３
ゲノム情報管理部２０１２は、条件に合致したゲノム情報に対応する複数の検体提供者のうち、事前に合意（包括合意や条件付き合意（条件付き：例えば、開示先の範囲、時期、活用用途の条件など）を含む）をしていない検体提供者の端末装置１０_ｋ（ｋ＝１からｎ）にゲノム情報の開示に対する許可（合意の意思）について個別に問い合わせる。なお、事前合意の有無は、ゲノム情報データベース１００をチェックすることにより確認することができる。
【００８５】
（iv）ステップ１４０４
検体提供者の端末装置１０_ｋがサービス提供会社の管理サーバ２０から個別合意についての問い合わせを受信すると、登録情報開示合意処理部１０１２は、検体提供者の入力指示（合意するか否かを含む）に応答して、当該検体提供者のゲノム情報等の開示の可否について回答をサービス提供会社の管理サーバ２０に返信する。
【００８６】
（v）ステップ１４０５
サービス提供会社の管理サーバ２０が問い合わせをした各検体提供者の端末装置１０_ｋから問い合わせに対する回答を受信すると、ゲノム情報管理部２０１２は、開示の合意（包括、条件付き、および個別）があった検体提供者のゲノム情報へのアクセス許可をゲノム情報取得・閲覧要求を出したクライアント企業の端末装置４０_ｋに与える。許可は、例えば、当該クライアント企業の端末装置４０_ｋにアクセスキーを送信し、それによって、管理サーバ２０の記憶デバイス２０３の所定の記憶エリアにアクセス可能なようにすることによって与えられる。
【００８７】
アクセス許可の他、条件に合致した情報そのものをクライアント企業の端末装置４０_ｋに送信してもよい。この場合、ゲノム情報管理部２０１２は、条件に合致し、合意の取れたゲノム情報をそのまま、あるいは閲覧用ＧＵＩデータに加工して、クライアント企業の端末装置４０_ｋに送信する。
【００８８】
（vi）ステップ１４０６
クライアント企業の端末装置４０_ｋが送信されてきたゲノム情報のアクセス許可を受信すると、ゲノム情報取得・閲覧処理部４０１２は、アクセス許可に含まれるアクセスキーを用いて、サービス提供会社の管理サーバ２０の記憶デバイス２０３の所定の記憶領域（所望のゲノム情報等が閲覧用に格納されている）にアクセスし、取得したゲノム情報等をクライアント企業の端末装置４０_ｋの出力デバイス（表示装置）４０５の表示画面上に表示する。また、ゲノム情報等が直接送信されてくる場合には、ゲノム情報取得・閲覧処理部４０１２は、受信したゲノム情報等を出力デバイス（表示装置）４０５の表示画面上に表示する。
【００８９】
以上のような一連の処理により、クライアント企業は、所望するゲノム情報を検体提供者の合意の下、取得することができる。なお、上述したように、クライアント企業が当該サービスをサービス提供会社から受けるためには、事前にあるいはゲノム情報取得要求をする際にトークンをサービス提供者から購入する必要がある。
【００９０】
＜トークン使用処理＞
図１５は、検体提供者が付与されたトークンを使用する際の処理を説明するためのフローチャートである。
【００９１】
（i）ステップ１５０１
検体提供者は、端末装置１０_ｋ（ｋ＝１からｎ）のトークン使用申請処理部１０１４を起動して、診察・治療を受けたい医療機関等（例えば、当該トークンコミュニティに加盟した複数の医療機関等）を選択し、トークン使用申請を入力する。トークン使用申請処理部１０１４は、当該入力に応答して、選択された医療機関等の情報とトークン使用申請をサービス提供会社の管理サーバ２０に送信する。
【００９２】
（ii）ステップ１５０２
サービス提供会社の管理サーバ２０がトークン使用申請を受信すると、トークン管理部２０１１は、ゲノム情報データベース１００のトークン情報１００５にアクセスし、使用分のトークン額を減算し、トークン使用申請の受理を対象の検体提供者の端末装置１０_ｋに返信する。保有トークン額が使用トークン額よりも少ない場合には、トークン管理部２０１１は、トークン使用申請の却下とその理由を対象の検体提供者の端末装置１０_ｋに返信する。
【００９３】
（iii）ステップ１５０３
ゲノム情報管理部２０１２は、検体提供者が選択した医療機関等の端末装置５０_ｋ（ｋ＝１からｎ）が当該検体提供者のゲノム情報にアクセスできるようにセットアップする。例えば、ゲノム情報管理部２０１２は、記憶デバイス２０３の所定の記憶領域に対象のゲノム情報を格納し、アクセスキーが無ければアクセスできないように設定する。
【００９４】
（iv）ステップ１５０４
ゲノム情報管理部２０１２は、対象の医療機関等の端末装置５０_ｋに、上記ゲノム情報にアクセスするためのアクセスキーを送信する。なお、対象の検体提供者のゲノム情報そのものを対象の医療機関等の端末装置５０_ｋに送信してもよいし、アクセスキーを対象の検体提供者の端末装置１０_ｋに送信し、検体提供者が医療機関等にアクセスキーを提示してアクセスできるようにしてもよい。
【００９５】
（v）ステップ１５０５
医療機関等の端末装置５０_ｋがサービス会社の管理サーバ２０からゲノム情報のアクセスキーを受信すると、登録情報閲覧処理部５０１２は、当該アクセスキーに基づいて、サービス提供会社の管理サーバ２０の記憶デバイス２０３の所定の記憶エリアにアクセスして対象のゲノム情報にアクセスし、出力デバイス（表示装置）５０５の表示画面上に表示する。なお、対象のゲノム情報そのものを受信した場合には、そのままゲノム情報が表示画面上に表示される。
【００９６】
＜バイオバンク登録処理＞
図１６は、医療機関等がバイオバンクに保管している臨床情報付き検体（検体解析が行われゲノム情報が存在する場合にはゲノム情報も含まれる）のゲノム情報データベース１００への登録処理を説明するためのフローチャートである。なお、図１６では、ゲノム情報データベース１００がサービス提供会社の管理サーバ２０に設けられているものとして説明するが、ＤＢ管理会社の管理サーバ３０に設けられるようにしてもよい。後者の場合、管理サーバ２０と管理サーバ３０とで互いに通信して情報の授受が行われる。そして、サービス提供会社の管理サーバ２０が医療機関等から取得した検体を解析して得られたゲノム情報および臨床情報等がＤＢ管理会社の管理サーバ３０に設けられたゲノム情報データベース１００に登録されることになる。
【００９７】
（i）ステップ１６０１
医療機関等の担当者は、医療機関等の端末装置５０_ｋ（ｋ＝１からｎ）の通信デバイス５０６を用いて、サービス提供会社の管理サーバ２０にアクセスし（例えば、サービス提供会社のサービスサイトにアクセス）、臨床情報付き検体提供申請フォームをダウンロードする。そして、担当者は、検体・臨床情報提供処理部５０１１を起動し、入力デバイス５０４を用いて、バイオバンクに保管されている臨床情報付き検体の提供申請の意思を申請フォームに入力し、通信デバイス５０６を用いてサービス提供会社の管理サーバ２０に送信する。このとき、医療機関等の端末装置５０_ｋは、管理サーバ２０から受付番号（当該医療機関等による提供の事実が一意に特定できる情報）を受信し、メモリ５０２あるいは記憶デバイス５０２に格納する。
【００９８】
そして、医療機関等の担当者は、例えば、受付番号を受信した後に、当該受付番号と共に、バイオバンクに保管された臨床情報付き検体をサービス提供会社に配送する。またはゲノム解析を行う検査センター等に配送する。なお、臨床情報は、検体とは別に、ネットワーク６０を介してサービス提供会社の管理サーバ２０に送信するようにしもよい。
【００９９】
（ii）ステップ１６０２
サービス提供会社の管理サーバ２０は、医療機関等の端末装置５０_ｋから臨床情報付き検体の提供申請を受信する。そして、対象の医療機関等から配送されてきた臨床情報付き検体の受領確認がなされた後、サービス提供会社の担当者が入力した検体提供申請等の登録の指示に応答し、ゲノム情報管理部２０１２は、臨床情報と検体を解析して得られたゲノム情報を、対象の医療機関等の識別情報に対応させてゲノム情報データベース１００に登録する。ゲノム情報は、検体を解析することにより得られるため、提供申請の受付時点でゲノム情報が無い場合には、この段階でゲノム情報データベース１００には登録されない。ただし、提供された検体にゲノム情報が付帯する場合には、直ぐにゲノム情報データベース１００に登録するようにしてもよいし、仮登録とし、サービス提供会社による検体解析が終了後に、仮登録したゲノム情報と当該検体解析により得られたゲノム情報とを入れ替えるようにしてもよい。
サービス提供会社に提供された検体の解析が終了したのち、ゲノム情報管理部２０１２は解析結果をゲノム情報としてゲノム情報データベース１００に登録する。
【０１００】
（iii）ステップ１６０３
管理サーバ２０のトークン管理部２０１１は、臨床情報付き検体を提供した医療機関等に対して、トークンを発行し、発行したトークン額をゲノム情報データベース１００のトークン情報１００５に登録する。バイオバンクは様々な患者の検体やゲノム情報を臨床情報と共に保管する施設やシステムである。バイオバンクには膨大な検体と情報が保管されている。従って、上述の検体提供者による検体および特定情報の提供時のように情報の詳細度によって付与されるトークン額を変える必要性は少ないため、一律に所定額のトークンを付与することが可能である。また、バイオバンクの個人情報(病気、治療の経過等)が追加され、更新が図られた場合は、追加でトークンを付与することも可能である。
【０１０１】
（iv）ステップ１６０４
ゲノム情報管理部２０１２は、医療機関等のバイオバンクの情報（臨床情報、検体、およびゲノム情報、各検体の提供者（患者）の詳細情報）のゲノム情報データベース１００への登録完了とトークン付与およびゲノム情報データベース１００（トークン情報１００５）への登録完了とを当該医療機関等の端末装置５０_ｋに通知する。医療機関等の場合には、上述の検体提供者の場合とは異なり、ゲノム情報等の開示についての意思確認は行われない。医療機関等は、開示を前提に臨床情報付き検体を提供しているからである。
【０１０２】
また、ゲノム情報管理部２０１２は、医療機関等の端末装置５０_ｋに、提供した臨床情報付き検体およびゲノム情報へのアクセス権を付与し、その旨を通知する。
【０１０３】
＜医療機関等による登録情報閲覧要求の処理＞
図１７は、医療機関等がゲノム情報データベース１００に登録された臨床情報付き検体およびゲノム情報への閲覧要求をサービス提供会社の管理サーバ２０に送信した時の処理を説明するためのフローチャートである。なお、図１７では、ゲノム情報データベース１００がサービス提供会社の管理サーバ２０において設けられているものとして説明するが、ＤＢ管理会社の管理サーバ３０に設けられるようにしてもよい。後者の場合、管理サーバ２０と管理サーバ３０とで互いに通信して情報の授受が行われる。そして、サービス提供会社の管理サーバ２０が、医療機関等の閲覧要求に応答して、ＤＢ管理会社の管理サーバ３０に設けられたゲノム情報データベース１００に登録された臨床情報付き検体およびゲノム情報を取得し、閲覧用データに変換して医療機関等の端末装置５０_ｋに提供する。
【０１０４】
（i）ステップ１７０１
医療機関等の担当者は、医療機関等の端末装置５０_ｋの登録情報閲覧処理部５０１２を起動し、入力デバイス５０４を用いて、ゲノム情報データベース１００に登録された臨床情報付き検体等の閲覧要求を作成する。そして、登録情報閲覧処理部５０１２は、通信デバイス５０６を介して、サービス提供会社の管理サーバ２０に当該閲覧要求を送信する。閲覧要求は、例えば、医療機関等の担当者がゲノム情報データベース１００に登録された登録し臨床情報付き検体やゲノム情報を確認したい場合や過去に登録した情報を更新したり（例えば、登録した検体の提供者である患者が死亡した時など）削除したりしたい場合に管理サーバ２０に送信される。また、閲覧要求には、例えば、当該医療機関等の識別情報や医療機関等名を含めることが好ましい。ゲノム情報データベース１００から当該医療機関等の情報を検索しやすくするためである。
【０１０５】
（ii）ステップ１７０２
サービス提供会社の管理サーバ２０のゲノム情報管理部２０１２は、送信されてきた閲覧要求を取得し、当該閲覧要求に基づいて、対象の医療機関等の登録情報（臨床情報付き検体およびゲノム情報）をゲノム情報データベース１００から取得し、ＧＵＩ生成処理部２０１４に閲覧用ＧＵＩデータを生成すように指示する。ＧＵＩ生成処理部２０１４は、対象の医療機関等の登録情報から所定の閲覧用フォーマットに基づいて閲覧用ＧＵＩデータを生成する。
【０１０６】
（iii）ステップ１７０３
ＧＵＩ生成処理部２０１４は、生成した閲覧用ＧＵＩデータを、閲覧要求を送信してきた医療機関等の端末装置５０_ｋに送信する。
【０１０７】
（iv）ステップ１７０４
医療機関等の端末装置５０_ｋの登録情報閲覧処理部５０１２は、通信デバイス５０６を介して閲覧用ＧＵＩデータを取得し、例えばブラウザに適合するように閲覧用ＧＵＩデータを構成して出力デバイス（表示装置）５０５の画面上に表示する。
以上の一連の処理により、医療機関等は提供した検体から得られたゲノム情報および提供した特定情報を確認することができる。
【０１０８】
＜治験協力要請処理＞
図１８は、クライアント企業（製薬会社）が所望のゲノム情報をサービス提供会社から取得し、治験協力要請を対象の医療機関等に行う際の一連の処理を説明するためのフローチャートである。なお、図１８では、ゲノム情報データベース１００がサービス提供会社の管理サーバ２０に設けられているものとして説明するが、ＤＢ管理会社の管理サーバ３０に設けられるようにしてもよい。後者の場合、管理サーバ２０と管理サーバ３０とで互いに通信して情報の授受が行われる。そして、サービス提供会社の管理サーバ２０が、製薬会社のゲノム情報取得・閲覧要求に応答して、ＤＢ管理会社の管理サーバ３０に設けられたゲノム情報データベース１００に登録されたゲノム情報および特定情報を取得し、製薬会社の端末装置４０_ｋにアクセス許可を与えるか取得した情報を送信する。
【０１０９】
（i）ステップ１８０１
製薬会社の担当者は、製薬会社の端末装置４０_ｋのゲノム情報取得要求処理部４０１１を起動し、取得したいゲノム情報の条件（検索条件になる）を含む、ゲノム情報取得・閲覧要求を作成する。ゲノム情報取得要求処理部４０１１は、製薬会社の担当者の入力指示に応答して、作成されたゲノム情報取得・閲覧要求をサービス提供会社の管理サーバ２０に送信する。
【０１１０】
ゲノム情報取得・閲覧要求に含まれる“取得したいゲノム情報の条件”には、例えば、性別、年齢（幅）、がん等の疾病の種類、治療歴、病態、病歴、家族歴、飲酒の習慣があること、などが含まれる。この条件の内容は、クライアント企業の担当者によって任意に設定可能である。
【０１１１】
また、製薬会社の担当者が、サービス提供会社から提供された登録バイオバンクおよびその保有者である医療機関等の情報をチェックし、そのうちの１つ以上の医療機関等をゲノム情報取得・閲覧要求としてもよい。
【０１１２】
（ii）ステップ１８０２
サービス提供会社の管理サーバ２０が製薬会社の端末装置４０_ｋからゲノム情報取得・閲覧要求を受信すると、ゲノム情報検索処理部２０１３が起動し、ゲノム情報取得・閲覧要求に含まれる“取得したいゲノム情報の条件”あるいは“指定された医療機関等”を検索条件とし、ゲノム情報データベース１００を検索して条件に合致する、臨床情報付き検体の情報およびゲノム情報等を取得する。
【０１１３】
（iii）ステップ１８０３
ゲノム情報管理部２０１２は、検索によって取得した臨床情報付き検体の情報およびゲノム情報へのアクセス許可（アクセス権）をゲノム情報取得・閲覧要求を出した製薬会社の端末装置４０_ｋに与える。アクセス許可（アクセス権）は、例えば、当該製薬会社の端末装置４０_ｋにアクセスキーを送信し、それによって、管理サーバ２０の記憶デバイス２０３の所定の記憶エリアにアクセス可能なようにすることによって与えられる。
【０１１４】
アクセス許可の他、条件に合致した情報そのものを製薬会社の端末装置４０_ｋに送信してもよい。この場合、ゲノム情報管理部２０１２は、条件に合致した臨床情報付き検体の情報およびゲノム情報をそのまま、あるいは閲覧用ＧＵＩデータに加工して、製薬会社の端末装置４０_ｋに送信する。
【０１１５】
（vi）ステップ１８０４
製薬会社の端末装置４０_ｋが送信されてきたアクセス許可（アクセス権）を受信すると、ゲノム情報取得・閲覧処理部４０１２は、アクセス許可に含まれるアクセスキーを用いて、サービス提供会社の管理サーバ２０の記憶デバイス２０３の所定の記憶領域（所望の臨床情報付きゲノム情報等が閲覧用に格納されている）にアクセスし、取得した臨床情報付きゲノム情報等をクライアント企業の端末装置４０_ｋの出力デバイス（表示装置）４０５の表示画面上に表示する。また、ゲノム情報等が直接送信されてくる場合には、ゲノム情報取得・閲覧処理部４０１２は、受信したゲノム情報等を出力デバイス（表示装置）４０５の表示画面上に表示する。
【０１１６】
製薬会社からサービス会社に送信したゲノム情報取得・閲覧要求が医療機関等の指定を含む場合には、治験協力要請対応部５０１３は、製薬会社の担当者の入力指示に応答して、当該指定された医療機関等の端末装置５０_ｋ（ｋ＝１からｎ）に治験協力要請を送信する。
【０１１７】
一方、製薬会社からサービス会社に送信したゲノム情報取得・閲覧要求が医療機関等の指定を含まない場合、取得・閲覧した臨床情報付きゲノム情報は複数の医療機関等から取得された可能性が高い。この場合、例えば、表示されたＧＵＩ上で、製薬会社の担当者が閲覧した臨床情報付きゲノム情報等から治験協力を要請する対象（患者）を特定（選択）すると、ゲノム情報取得・閲覧処理部４０１２は、当該特定された対象（患者）のそれぞれが診察・治療を受けている（あるいは受けていた）医療機関等のリストが画面上に表示される。そして、製薬会社の担当者が当該リストの中から治験協力要請をする医療機関等を選択すると、治験協力要請対応部５０１３は、選択された医療機関等の端末装置５０_ｋ（ｋ＝１からｎ）に治験協力要請を送信する。なお、治験協力要請は、複数の医療機関等に送信することが可能である。
【０１１８】
（v）ステップ１８０５
医療機関等の端末装置５０_ｋが製薬会社の端末装置４０_ｋから治験協力要請を受信すると、医療機関内において治験協力の是非について議論がなされる。そして、当該医療機関等の担当者の入力指示に応答して、治験協力要請対応部５０１３は、治験協力要請に対する回答（治験協力の可否）を上記製薬会社の端末装置４０_ｋに返信する。
【０１１９】
なお、予め治験協力要請への対応が決められており、自動的に治験協力要請への回答が治験協力要請対応部５０１３において生成され、上記製薬会社の端末装置４０_ｋに送信されるようにしてもよい。
【０１２０】
＜まとめ＞
（i）本実施形態は、特徴的なサーバ装置（サービス提供会社の管理サーバ２０）の構成について開示する。サービス提供会社の管理サーバ２０は、ゲノム関連のサービスを提供するサーバ装置である。管理サーバ２０は、検体を提供した対価として、検体提供者に対して付与する、所定の決済のための価値交換情報（トークン）を生成する処理と、提供された検体を解析することにより得られたゲノム情報と、検体提供者の識別情報（例えば、マイナンバー、ゲノム情報、ゲノム情報をもとに生成したユニークな文字列など）と、生成した価値交換情報とを関連付けて（マイナンバー等によって全ての情報が関連付けられるようにインデックスデータを設定する）、データベース（ゲノム情報データベース１００）に格納する。このようにすることにより、検体を提供するインセンティブを多くの人々に与えることができ、それによってゲノム情報の収集を効率的にして有効に活用することができるようになる。なお、当該ゲノム情報データベース１００は、管理サーバ２０に設けられていなくてもよく、管理サーバ３０などに設けられていてもよい。さらに言えば、管理サーバ２０や管理サーバ３０は、図７に相当するデータベース構成要素を少なくとも備えていればよく、他のデータベース構成要素（図８から図１１に相当）は、管理サーバ２０や管理サーバ３０に備えてもよく、物理的に他のサーバ装置としてネットワーク上に存在してもよい。ただし、ここで重要なことは、図７から図１１で構成されるゲノム情報データベース１００に格納されている各種情報およびデータは、検体提供者の識別情報（例えば、マイナンバー）で紐づけられて管理されていることである。
【０１２１】
ゲノム情報データベース１００は、検体提供者のゲノム情報以外の特定情報（検体提供者の一般情報、既往歴情報、家族の病歴情報、生活習慣に関する情報、疾病の治療・経過情報、プロテオミクス情報、およびメタボロミクス情報のうち少なくとも１つ）を、検体提供者の識別情報と関連付けて格納している。ゲノム情報を活用する際に、特定情報と関連づけて分析することができるようになる。よって、例えば、検体提供者の特徴（例：既往症や生活習慣）、現在罹患している疾病、およびゲノム情報の関連を調査して、新薬開発（創薬）や新しい診断方法の開発に役立たせることができるようになる。なお、検体提供者を一意に特定できる識別情報と関連付けてゲノム情報データベース１００に過去および現在のゲノム情報等を登録することにより、当該検体提供者の過去と現在のゲノム情報等を比較することができるようになるため、ゲノム情報をさらに有効に分析することができるようになる。
【０１２２】
また、管理サーバ２０は、検体提供者のゲノム情報が活用された場合に、少なくとも活用内容を含む活用履歴情報（ゲノム情報の活用者の情報と、活用時期の情報）を、検体提供者の識別情報に関連付けてゲノム情報データベース１００に格納する。検体提供者の視点から言えば、自身のゲノム情報を閲覧することにより、自身のゲノム情報がどのように活用され、社会に貢献できているかを確認・実感することができる。活用者の視点から言えば、このような活用履歴情報が蓄積されていくことにより、頻繁に活用されるゲノム情報の傾向や逆に全く活用されないゲノム情報の傾向などを知ることができるようになる。
【０１２３】
管理サーバ２０は、ネットワークを介して、ゲノム情報の活用希望者（クライアント企業：製薬会社）のコンピュータから取得したいゲノム情報の希望条件を含むリクエスト（ゲノム情報取得・閲覧要求）を受信し、ゲノム情報データベース１００を検索して希望条件に合致する検体提供者を特定し、当該検体提供者のゲノム情報をクライアント企業のコンピュータに送信、あるいはクライアント企業のコンピュータからのゲノム情報へのアクセスを許可する。なお、当該ゲノム情報の提供あるいは当該ゲノム情報へのアクセス許可は、活用希望者（クライアント企業）による価値交換情報（トークン）の購入（事前）とその提示（ゲノム情報取得時）が条件となっている。数多くの価値あるゲノム情報をデータベース化することにより、ゲノム情報を活用したいと希望する会社が増加することが期待できる。また、トークンという経済的付加価値を導入することにより、検体の提供とそれを解析したゲノム情報の蓄積、およびゲノム情報の有効活用のサイクルを円滑に進むようにすることが可能となる。
【０１２４】
なお、ゲノム情報は無条件でクライアント企業に提供（取得や閲覧可能）するのではなく、検体提供者による開示の合意があることが前提とされる。具体的には、上記希望条件に合致する検体提供者のコンピュータに対して、自身のゲノム情報の提供について合意するかの問い合わせが送信され、合意の意思表示を受信した検体提供者のゲノム情報のみがクライアント企業のコンピュータに送信される、あるいは合意のあったゲノム情報のみにクライアント企業のコンピュータからのアクセスが許可される。このようにすることにより、検体提供者の情報の開示に対する安全性を担保することができる。合意には、クライアント企業によるゲノム情報主特区・閲覧要求の度に合意の有無の意思表示を示す個別合意と、検体提供者による検体提供時に全ての開示に合意の有無の意思表示を示す包括合意とがある。
【０１２５】
さらに、管理サーバ２０は、検体および特定情報を提供した検体提供者が以前に検体および特定情報を提供したことがあるか否かチェックし、以前に検体等を提供したことがある場合には、今回の情報と以前の情報とを当該検体提供者の識別情報で関連付けてゲノム情報データベース１００に登録する。これにより、識別情報をキーとして、当該検体提供者の過去・現在全てのゲノム情報および特定情報を検索することができ、同一検体提供者のゲノム情報の経時的変化を分析することも可能となる。
【０１２６】
（ii）本実施形態の機能は、ソフトウェアのプログラムコードによっても実現できる。この場合、プログラムコードを記録した記憶媒体をシステム或は装置に提供し、そのシステム或は装置のコンピュータ（又はＣＰＵやＭＰＵ）が記憶媒体に格納されたプログラムコードを読み出す。この場合、記憶媒体から読み出されたプログラムコード自体が前述した実施形態の機能を実現することになり、そのプログラムコード自体、及びそれを記憶した記憶媒体は本実施形態を構成することになる。このようなプログラムコードを供給するための記憶媒体としては、例えば、フレキシブルディスク、ＣＤ−ＲＯＭ、ＤＶＤ−ＲＯＭ、ハードディスク、光ディスク、光磁気ディスク、ＣＤ−Ｒ、磁気テープ、不揮発性のメモリカード、ＲＯＭなどが用いられる。
【０１２７】
また、プログラムコードの指示に基づき、コンピュータ上で稼動しているＯＳ（オペレーティングシステム）などが実際の処理の一部又は全部を行い、その処理によって前述した実施の形態の機能が実現されるようにしてもよい。さらに、記憶媒体から読み出されたプログラムコードが、コンピュータ上のメモリに書きこまれた後、そのプログラムコードの指示に基づき、コンピュータのＣＰＵなどが実際の処理の一部又は全部を行い、その処理によって前述した実施の形態の機能が実現されるようにしてもよい。
【０１２８】
さらに、実施の形態の機能を実現するソフトウェアのプログラムコードを、ネットワークを介して配信することにより、それをシステム又は装置のハードディスクやメモリ等の記憶手段又はＣＤ−ＲＷ、ＣＤ−Ｒ等の記憶媒体に格納し、使用時にそのシステム又は装置のコンピュータ（又はＣＰＵやＭＰＵ）が当該記憶手段や当該記憶媒体に格納されたプログラムコードを読み出して実行するようにしても良い。
【０１２９】
最後に、ここで述べたプロセス及び技術は本質的に如何なる特定の装置に関連することはなく、コンポーネントの如何なる相応しい組み合わせによってでも実装できることを理解する必要がある。更に、汎用目的の多様なタイプのデバイスがここで記述した教授に従って使用可能である。ここで述べた方法のステップを実行するのに、専用の装置を構築するのが有益であることが判るかもしれない。また、実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。本実施形態は、具体例に関連して記述したが、これらは、すべての観点に於いて限定の為ではなく説明の為である。本分野にスキルのある者には、本実施形態を実施するのに相応しいハードウェア、ソフトウェア、及びファームウエアの多数の組み合わせがあることが解るであろう。例えば、記述したソフトウェアは、アセンブラ、Ｃ／Ｃ＋＋、ｐｅｒｌ、Ｓｈｅｌｌ、ＰＨＰ、Ｊａｖａ（登録商標）、ブロックチェーン関連プログラム言語（Solidity、Serpent、Viper、LLL等）等の広範囲のプログラム又はスクリプト言語で実装できる。
【０１３０】
さらに、上述の実施形態において、制御線や情報線は説明上必要と考えられるものを示しており、製品上必ずしも全ての制御線や情報線を示しているとは限らない。全ての構成が相互に接続されていても良い。
【０１３１】
なお、本開示は上述の実施形態に限定されるものではなく、様々な変形例が含まれる。上述の実施形態は本開示を分かりやすく説明するために詳細に説明したものであり、必ずしも説明した全ての構成を備えるものに限定されるものではない。
【符号の説明】
【０１３２】
１  サービス提供システム
１０_１〜１０_ｎ（１０_ｋ）  検体提供者の端末装置
２０  サービス提供会社の管理サーバ
３０  ＤＢ管理会社の管理サーバ
４０_１〜４０_ｎ  クライアント企業の端末装置
５０_１〜５０_ｎ  医療機関等の端末装置
６０  ネットワーク
【図１】
2019224971.tif 000003
【図２】
2019224971.tif 000004
【図３】
2019224971.tif 000005
【図４】
2019224971.tif 000006
【図５】
2019224971.tif 000007
【図６】
2019224971.tif 000008
【図７】
2019224971.tif 000009
【図８】
2019224971.tif 000010
【図９】
2019224971.tif 000011
【図１０】
2019224971.tif 000012
【図１１】
2019224971.tif 000013
【図１２】
2019224971.tif 000014
【図１３】
2019224971.tif 000015
【図１４】
2019224971.tif 000016
【図１５】
2019224971.tif 000017
【図１６】
2019224971.tif 000018
【図１７】
2019224971.tif 000019
【図１８】
2019224971.tif 000020
【手続補正書】
【提出日】令和2年7月21日(2020.7.21)
【手続補正１】
【補正対象書類名】特許請求の範囲
【補正対象項目名】全文
【補正方法】変更
【補正の内容】
【特許請求の範囲】
【請求項１】
検体提供者、医療機関、および製薬会社を含むコミュニティにおいてゲノム関連のサービスを提供するサーバ装置であって、
サービスを提供するためのプログラムを格納する記憶デバイスと、
前記記憶デバイスから前記プログラムを読み込み、実行するプロセッサと、を備え、
前記プロセッサは、
検体を提供した対価として、患者および患者以外の者を含む検体提供者に対して付与する、前記コミュニティ内における所定の決済のための価値交換情報を生成する処理と、
前記検体提供者からサービス提供会社に提供された検体を解析することにより得られたゲノム情報と、前記検体提供者の識別情報と、前記生成した価値交換情報とを関連付けて、データベースに格納する処理と、
を実行し、
前記価値交換情報を前記検体提供者に付与することにより、付与した前記価値交換情報に対応する、前記コミュニティ内の前記医療機関からのサービスを受領可能という利益を前記検体提供者に与え、
前記価値交換情報を購入した前記製薬会社には、前記検体提供者に由来する前記ゲノム情報の提供という利益を与える、サーバ装置。
【請求項２】
請求項１において、
前記プロセッサは、前記検体提供者の前記ゲノム情報以外の特定情報を、前記検体提供者の識別情報と関連付けて前記データベースに格納する、サーバ装置。
【請求項３】
請求項２において、
前記特定情報は、前記検体提供者の一般情報、既往歴情報、家族の病歴情報、生活習慣に関する情報、疾病の治療・経過情報、プロテオミクス情報、およびメタボロミクス情報のうち少なくとも１つを含む、サーバ装置。
【請求項４】
請求項１から３のいずれか１項において、
前記プロセッサは、前記検体提供者の前記ゲノム情報が活用された場合に、少なくとも活用内容を含む活用履歴情報を、前記検体提供者の前記識別情報に関連付けて前記データベースに格納する処理を実行する、サーバ装置。
【請求項５】
請求項４において、
前記活用履歴情報は、前記ゲノム情報の活用者の情報と、活用時期の情報とを含む、サーバ装置。
【請求項６】
請求項１から５の何れか１項において、
前記プロセッサは、前記検体提供者が自身のゲノム情報および前記価値交換情報を閲覧可能にするためのユーザインタフェースを生成する処理を実行する、サーバ装置。
【請求項７】
請求項１から６の何れか１項において、
前記プロセッサは、さらに、
ネットワークを介して、前記ゲノム情報の製薬会社のコンピュータから取得したいゲノム情報の希望条件を含むリクエストを受信する処理と、
前記リクエストに含まれる前記希望条件に基づいて前記データベースを検索して前記希望条件に合致する前記検体提供者を特定する処理と、
前記希望条件に合致する前記検体提供者の前記ゲノム情報を前記製薬会社のコンピュータに送信する処理、あるいは前記製薬会社のコンピュータからの前記希望条件に合致する前記検体提供者の前記ゲノム情報へのアクセスを許可する処理と、
を実行するサーバ装置。
【請求項８】
請求項７において、
前記プロセッサは、前記製薬会社による前記価値交換情報の購入を条件に前記ゲノム情報を前記製薬会社のコンピュータに送信する、あるいは前記製薬会社のコンピュータからの前記ゲノム情報へのアクセスを許可する、サーバ装置。
【請求項９】
請求項７または８において、
前記プロセッサは、前記希望条件に合致する前記検体提供者のコンピュータに対して、自身のゲノム情報の提供について合意するかの問い合わせを送信し、合意の意思表示を受信した前記検体提供者の前記ゲノム情報を前記製薬会社のコンピュータに送信する、あるいは合意の意思表示を受信した前記検体提供者の前記ゲノム情報への前記製薬会社のコンピュータからのアクセスを許可する、サーバ装置。
【請求項１０】
請求項７または８において、
前記プロセッサは、自身のゲノム情報の提供について予め包括合意の意思表示を示した前記検体提供者であって、前記希望条件に合致する前記検体提供者の前記ゲノム情報については、改めて合意するかの問い合わせを前記検体提供者のコンピュータに送信せずに、前記製薬会社のコンピュータに送信する、あるいは前記製薬会社のコンピュータからのアクセスを許可する、サーバ装置。
【請求項１１】
請求項１から１０の何れか１項において、
前記プロセッサは、さらに、
前記検体提供者から検体または特定情報の提供を受けたとき、当該検体提供者の識別情報を用いて前記データベースを検索して第１の時点に当該検体提供者から検体または特定情報の提供を受けているか判定する処理と、
前記検体提供者から前記第１の時点で検体または特定情報の提供を受けている場合には、前記第１の時点のゲノム情報または特定情報と前記第１の時点よりも時間的に新しい第２の時点のゲノム情報または特定情報とを関連付けて前記データベースに格納する処理と、
を実行する、サーバ装置。
【請求項１２】
検体提供者、医療機関、および製薬会社を含むコミュニティにおいてゲノム関連のサービスを提供するサーバ装置と、
患者および患者以外の者を含む検体提供者であって、ゲノム情報を抽出するための検体を提供する検体提供者の第１コンピュータと、
前記ゲノム情報の活用を希望する製薬会社の第２コンピュータと、を備え、
前記サーバ装置と、前記第１コンピュータと、前記第２コンピュータとはネットワークを介して接続されており、
（i）前記サーバ装置は、
前記検体を提供した対価として、前記検体提供者に対して付与する、前記コミュニティ内における所定の決済のための価値交換情報を生成する処理と、
前記検体提供者からサービス提供会社に提供された検体を解析することにより得られたゲノム情報と、前記検体提供者の識別情報と、前記生成した価値交換情報とを関連付けて、データベースに格納する処理と、
前記第１コンピュータから受信した前記検体提供者のゲノム情報の閲覧リクエストに応答して、前記検体提供者のゲノム情報と付与された前記価値交換情報とを前記データベースから取得して前記検体提供者が閲覧可能にする処理と、
前記第２コンピュータから受信した所望のゲノム情報の希望条件を含むゲノム情報取得リクエストを受信する処理と、
前記ゲノム情報取得リクエストに含まれる前記希望条件に基づいて前記データベースを検索して前記希望条件に合致する前記検体提供者を特定する処理と、
前記希望条件に合致する前記検体提供者の前記ゲノム情報を前記第２コンピュータに送信する処理、あるいは前記第２コンピュータからの前記希望条件に合致する前記検体提供者の前記ゲノム情報へのアクセスを許可する処理と、を実行し、
前記価値交換情報を前記検体提供者に付与することにより、付与した前記価値交換情報に対応する、前記コミュニティ内の前記医療機関からのサービスを受領可能という利益を前記検体提供者に与え、
前記価値交換情報を購入した前記製薬会社には、前記検体提供者に由来する前記ゲノム情報の提供という利益を与え、
（ii）前記第１コンピュータは、
前記閲覧リクエストを前記サーバ装置に送信する処理と、
前記検体提供者のゲノム情報と前記価値交換情報とを前記第１コンピュータの表示画面上に表示する処理と、を実行し、
（iii）前記第２コンピュータは、
前記ゲノム情報取得リクエストを前記サーバ装置に送信する処理と、
前記希望条件に合致した前記検体提供者のゲノム情報を前記サーバ装置から取得する処理、あるいは前記サーバ装置にアクセスして前記希望条件に合致した前記検体提供者のゲノム情報にアクセスする処理と、を実行する、サービス提供システム。
【請求項１３】
請求項１２において、
前記サーバ装置は、前記検体提供者の前記ゲノム情報以外の特定情報を、前記検体提供者の検体情報と関連付けて前記データベースに格納する、サービス提供システム。
【請求項１４】
請求項１３において、
前記特定情報は、前記検体提供者の一般情報、既往歴情報、家族の病歴情報、生活習慣に関する情報、疾病の治療・経過情報、プロテオミクス情報、およびメタボロミクス情報のうち少なくとも１つを含む、サービス提供システム。
【請求項１５】
請求項１２から１４の何れか１項において、
前記サーバ装置は、前記検体提供者の前記ゲノム情報が活用された場合に、少なくとも活用内容を含む活用履歴情報を、前記検体提供者の前記識別情報に関連付けて前記データベースに格納する処理を実行する、サービス提供システム。
【請求項１６】
請求項１５において、
前記活用履歴情報は、前記ゲノム情報の活用者の情報と、活用時期の情報とを含む、サービス提供システム。
【請求項１７】
請求項１２から１６の何れか１項において、
前記サーバ装置は、前記製薬会社による前記価値交換情報の購入を条件に前記ゲノム情報を前記第２コンピュータに送信する、あるいは前記ゲノム情報への前記第２コンピュータからのアクセスを許可する、サービス提供システム。
【請求項１８】
請求項１２から１７の何れか１項において、
前記サーバ装置は、前記希望条件に合致する前記第１コンピュータに対して、前記検体提供者のゲノム情報の提供について合意するかの問い合わせを送信し、合意の意思表示を受信した前記検体提供者の前記ゲノム情報のみを前記第２コンピュータに送信する、あるいは前記合意の意思表示を受信した前記検体提供者の前記ゲノム情報への前記第２コンピュータからのアクセスを許可する、サービス提供システム。
【請求項１９】
請求項１２から１８の何れか１項において、
前記サーバ装置は、自身のゲノム情報の提供について予め包括合意の意思表示を示した前記検体提供者であって、前記希望条件に合致する前記検体提供者の前記ゲノム情報については、改めて合意するかの問い合わせを前記第１コンピュータに送信せずに、前記第２コンピュータに送信する、あるいは前記第２コンピュータからのアクセスを許可する、サーバ提供システム。
【請求項２０】
請求項１２から１８の何れか１項において、
前記サーバ装置は、さらに、
検体提供者から検体または特定情報の提供を受けたとき、当該検体提供者の識別情報を用いて前記データベースを検索して第１の時点に当該検体提供者から検体または特定情報の提供を受けているか判定する処理と、
前記検体提供者から過去に検体の提供または特定情報を受けている場合には、前記第１の時点のゲノム情報または特定情報と前記第１の時点よりも時間的に新しい第２の時点のゲノム情報または特定情報を関連付けて前記データベースに格納する処理と、
を実行する、サービス提供システム。
【国際調査報告】
2019224971.tif 000021
2019224971.tif 000022
2019224971.tif 000023
2019224971.tif 000024